(57)【要約】【課題】無線リソースを有効に活用すること。【解決手段】無線通信システムは、端末装置と第１の基地局装置と第２の基地局装置とを含み、端末装置は、端末装置通信部と端末装置制御部とを備え、端末装置制御部は、電波環境に関する測定結果と、他の基地局装置への接続切替の２以上の手段のうち、いずれの手段を用いるかを示す接続切替手段情報を、端末装置通信部を介して第１の基地局装置に送信し、接続切替手段情報に対応する指示情報を、第１の基地局装置から端末装置通信部を介して受信し、指示情報に基づいて、第２の基地局装置との接続を行い、第１の基地局装置は、第１基地局装置制御部と第１基地局装置通信部とを備え、第１基地局装置制御部は、測定結果と、接続切替手段情報とを、第１基地局装置通信部を介して端末装置から受信し、接続切替手段情報に対応する指示情報を、第１基地局装置通信部を介して端末装置に送信する。【選択図】図８
2019193166.tif 000002
【特許請求の範囲】
【請求項１】
端末装置と、第１の基地局装置と、第２の基地局装置と、を含む無線通信システムであって、
前記端末装置は、
端末装置通信部と端末装置制御部とを備え、
前記端末装置制御部は、
電波環境に関する測定結果と、他の基地局装置への接続切替の２以上の手段のうち、いずれの手段を用いるかを示す接続切替手段情報を、前記端末装置通信部を介して前記第１の基地局装置に送信し、
送信した前記接続切替手段情報に対応する指示情報を、前記第１の基地局装置から前記端末装置通信部を介して受信し、
前記指示情報に基づいて、前記第２の基地局装置との接続を行い、
前記第１の基地局装置は、
第１基地局装置制御部と第１基地局装置通信部とを備え、
前記第１基地局装置制御部は、
前記測定結果と、前記接続切替手段情報と、を、前記第１基地局装置通信部を介して前記端末装置から受信し、
受信した前記接続切替手段情報に対応する指示情報を、前記第１基地局装置通信部を介して前記端末装置に送信する、
無線通信システム。
【請求項２】
通信部と制御部とを備え、
前記制御部は、
電波環境に関する測定結果と、他の基地局装置への接続切替の２以上の手段のうち、いずれの手段を用いるかを示す接続切替手段情報とを、前記通信部を介して第１の基地局装置に送信し、
送信した前記接続切替手段情報に対応する指示情報を、前記第１の基地局装置から前記通信部を介して受信し、
前記指示情報に基づいて、第２の基地局装置との接続を行う、
端末装置。
【請求項３】
前記接続切替手段情報は、自装置がハンドオーバーをするか否かを示す第１の情報を含む、
請求項２に記載の端末装置。
【請求項４】
前記第１の情報は、前記端末装置の使用状態を表す情報を含む、
請求項３に記載の端末装置。
【請求項５】
前記指示情報は、再接続指示情報を含む、
請求項２から請求項４のいずれか一項に記載の端末装置。
【請求項６】
前記制御部は、前記測定結果を、前記通信部を介して送信するとタイマをスタートさせ、前記タイマが満了すると前記第１の基地局装置との接続を切断する、
請求項２から請求項５のいずれか一項に記載の端末装置。
【請求項７】
制御部と通信部とを備え、
前記制御部は、
電波環境に関する測定結果と、他の基地局装置への接続切替の２以上の手段のうち、いずれの手段を用いるかを示す接続切替手段情報と、を、前記通信部を介して端末装置から受信し、
受信した前記接続切替手段情報に対応する指示情報を、前記通信部を介して前記端末装置に送信する、
基地局装置。
【請求項８】
端末装置のコンピュータが、
電波環境に関する測定結果と、他の基地局装置への接続切替の２以上の手段のうち、いずれの手段を用いるかを示す接続切替手段情報と、を、第１の基地局装置に送信する過程と、
送信した前記接続切替手段情報に対応する指示情報を、前記第１の基地局装置から受信する過程と、
前記指示情報に基づいて、第２の基地局装置との接続を行う過程と、
を有する無線通信方法。
【請求項９】
第１の基地局装置のコンピュータが、
電波環境に関する測定結果と、他の基地局装置への接続切替の２以上の手段のうち、いずれの手段を用いるかを示す接続切替手段情報と、を、端末装置から受信する過程と、
受信した前記接続切替手段情報に対応する指示情報を、前記端末装置に送信する過程と、
を有する無線通信方法。
【請求項１０】
端末装置のコンピュータが、
電波環境に関する測定結果と、他の基地局装置への接続切替の２以上の手段のうち、いずれの手段を接続切替手段情報と、を、第１の基地局装置に送信するステップと、
送信した前記接続切替手段情報に対応する指示情報を、前記第１の基地局装置から受信するステップと、
前記指示情報に基づいて、第２の基地局装置との接続を行うステップと、
を実行するためのプログラム。
【請求項１１】
第１の基地局装置のコンピュータが、
電波環境に関する測定結果と、他の基地局装置への接続切替の２以上の手段のうち、いずれの手段を用いるかを示す接続切替手段情報と、を、端末装置から受信するステップと、
受信した前記接続切替手段情報に対応する指示情報を、前記端末装置に送信するステップと、
を実行するためのプログラム。
【発明の詳細な説明】
【技術分野】
【０００１】
本発明は、端末装置、基地局装置、無線通信システム、無線通信方法およびプログラムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）ＲＡＮ２では、条件付きハンドオーバー（Ｃｏｎｄｉｔｉｏｎａｌ  Ｈａｎｄｏｖｅｒ  ：  ＣＨＯ）について検討されている（例えば、非特許文献１参照）。ＣＨＯでは、接続中の端末装置から移動元基地局装置に対してハンドオーバーの候補となる複数の基地局装置またはセルの測定結果が通知される。移動元基地局装置は、該測定結果に基づいて、ハンドオーバー先となる１つまたは複数の候補基地局装置または候補セルを選択する。そして、移動元基地局装置は、選択した１つまたは複数の候補基地局装置または候補セルに対してハンドオーバーコマンドを送信する。候補基地局装置は、ハンドオーバーコマンドを受信すると、ハンドオーバー後に端末装置に割り当てる無線リソースを確保する。
【先行技術文献】
【非特許文献】
【０００３】
【非特許文献１】“Ａｎａｌｙｓｉｓ  ｏｎ  ｃｏｎｄｉｔｉｏｎａｌ  ｈａｎｄｏｖｅｒ”、Ｈｕａｗｅｉ、３ＧＰＰ  ＴＳＧ−ＲＡＮ  ＷＧ２  ＃９７ｂｉｓ  Ｒ２−１７０３３８４、２０１７年３月２４日
【発明の概要】
【発明が解決しようとする課題】
【０００４】
しかしながら、例えば、複数の端末装置が同時にＣＨＯを行う場合、候補基地局装置は、実際にハンドオーバー先となるか否かによらず複数の端末装置のそれぞれに対して無線リソースを確保する必要がある。このため、非特許文献１に記載の技術では、無線リソースの無駄な占有が発生し、無線リソースが不足する虞がある。このように、無線リソースを有効に活用することができないという課題があった。
【０００５】
本発明は、上記の点に鑑みてなされたものであり、無線リソースを有効に活用することができる端末装置、基地局装置、無線通信システム、無線通信方法およびプログラムを提供することを課題とする。
【課題を解決するための手段】
【０００６】
（１）本発明は上記の課題を解決するためになされたものであり、本発明の一態様は、端末装置と、第１の基地局装置と、第２の基地局装置と、を含む無線通信システムであって、前記端末装置は、端末装置通信部と端末装置制御部とを備え、前記端末装置制御部は、電波環境に関する測定結果と、他の基地局装置への接続切替の２以上の手段のうち、いずれの手段を用いるかを示す接続切替手段情報を、前記端末装置通信部を介して前記第１の基地局装置に送信し、送信した前記接続切替手段情報に対応する指示情報を、前記第１の基地局装置から前記端末装置通信部を介して受信し、前記指示情報に基づいて、前記第２の基地局装置との接続を行い、前記第１の基地局装置は、第１基地局装置制御部と第１基地局装置通信部とを備え、前記第１基地局装置制御部は、前記測定結果と、前記接続切替手段情報と、を、前記第１基地局装置通信部を介して前記端末装置から受信し、受信した前記接続切替情報に対応する指示情報を、前記第１基地局装置通信部を介して前記端末装置に送信する、無線通信システムである。
【０００７】
（２）また、本発明は上記の課題を解決するためになされたものであり、本発明の一態様は、通信部と制御部とを備え、前記制御部は、電波環境に関する測定結果と、他の基地局装置への接続切替の２以上の手段のうち、いずれの手段を用いるかを示す接続切替手段情報とを、前記通信部を介して第１の基地局装置に送信し、送信した前記接続切替手段情報に対応する指示情報を、前記第１の基地局装置から前記通信部を介して受信し、前記指示情報に基づいて、第２の基地局装置との接続を行う、端末装置である。
【０００８】
（３）また、本発明の一態様は、前記接続切替情報は、自装置がハンドオーバーをするか否かを示す第１の情報を含む。
【０００９】
（４）また、本発明の一態様は、前記第１の情報は、前記端末装置の使用状態を表す情報を含む。
【００１０】
（５）また、本発明の一態様は、前記指示情報は、再接続指示情報を含む。
【００１１】
（６）また、本発明の一態様は、前記制御部は、前記測定結果を、前記通信部を介して送信するとタイマをスタートさせ、前記タイマが満了すると前記第１の基地局装置との接続を切断する。
【００１２】
（７）また、本発明は上記の課題を解決するためになされたものであり、本発明の一態様は、制御部と通信部とを備え、前記制御部は、電波環境に関する測定結果と、他の基地局装置への接続切替の２以上の手段のうち、いずれの手段を用いるかを示す接続切替手段情報と、を、前記通信部を介して端末装置から受信し、受信した前記接続切替手段情報に対応する指示情報を、前記通信部を介して前記端末装置に送信する、基地局装置である。
【００１３】
（８）また、本発明は上記の課題を解決するためになされたものであり、本発明の一態様は、端末装置のコンピュータが、電波環境に関する測定結果と、他の基地局装置への接続切替の２以上の手段のうち、いずれの手段を用いるかを示す接続切替手段情報と、を、第１の基地局装置に送信する過程と、送信した前記接続切替手段情報に対応する指示情報を、前記第１の基地局装置から受信する過程と、前記指示情報に基づいて、第２の基地局装置との接続を行う過程と、を有する無線通信方法である。
【００１４】
（９）また、本発明は上記の課題を解決するためになされたものであり、本発明の一態様は、第１の基地局装置のコンピュータが、電波環境に関する測定結果と、他の基地局装置への接続切替の２以上の手段のうち、いずれの手段を用いるかを示す接続切替手段情報と、を、端末装置から受信する過程と、受信した前記接続切替手段情報に対応する指示情報を、前記端末装置に送信する過程と、を有する無線通信方法である。
【００１５】
（１０）また、本発明は上記の課題を解決するためになされたものであり、本発明の一態様は、端末装置のコンピュータが、電波環境に関する測定結果と、他の基地局装置への接続切替の２以上の手段のうち、いずれの手段を用いるかを示す接続切替手段情報と、を、第１の基地局装置に送信するステップと、送信した前記接続切替手段情報に対応する指示情報を、前記第１の基地局装置から受信するステップと、前記指示情報に基づいて、第２の基地局装置との接続を行うステップと、を実行するためのプログラムである。
【００１６】
（１１）また、本発明は上記の課題を解決するためになされたものであり、本発明の一態様は、第１の基地局装置のコンピュータが、電波環境に関する測定結果と、他の基地局装置への接続切替の２以上の手段のうち、いずれの手段を用いるかを示す接続切替手段情報と、を、端末装置から受信するステップと、受信した前記接続切替手段情報に対応する指示情報を、前記端末装置に送信するステップと、を実行するためのプログラムである。
【発明の効果】
【００１７】
本発明によれば、無線リソースを有効に活用することができる。
【図面の簡単な説明】
【００１８】
【図１】本発明の第１の実施形態に係る無線通信システムのシステム構成の一例を示す概略図である。
【図２】本発明の第１の実施形態に係る端末装置の機能構成の一例を示す概略ブロック図である。
【図３】本発明の第１の実施形態に係る端末装置のハードウェア構成の一例を示す概略ブロック図である。
【図４】本発明の第１の実施形態に係る移動元基地局装置の機能構成の一例を示す概略ブロック図である。
【図５】本発明の第１の実施形態に係る移動先基地局装置の機能構成の一例を示す概略ブロック図である。
【図６】本発明の第１の実施形態に係る基地局装置のハードウェア構成の一例を示す概略ブロック図である。
【図７】本発明の第１の実施形態に係る移動元基地局装置における第１種ハンドオーバー処理の一例を示すフローチャートである。
【図８】本発明の第１の実施形態に係る第１種ハンドオーバー処理の一例を示すシーケンス図である。
【図９】本発明の第２の実施形態に係る移動元基地局装置の機能構成の一例を示す概略ブロック図である。
【図１０】本発明の第２の実施形態に係る移動先基地局装置の機能構成の一例を示す概略ブロック図である。
【図１１】本発明の第２の実施形態に係る移動元基地局装置におけるハンドオーバー処理の一例を示すフローチャートである。
【図１２】本発明の第２の実施形態に係る第２種ハンドオーバー処理の一例を示すシーケンス図である。
【図１３】本発明の第３の実施形態に係る端末装置の機能構成の一例を示す概略ブロック図である。
【図１４】本発明の第３の実施形態に係る移動元基地局装置の機能構成の一例を示す概略ブロック図である。
【図１５】本発明の第３の実施形態に係る移動元基地局装置のハンドオーバー処理の一例を示すフローチャートである。
【図１６】本発明の変形例に係る第２種ハンドオーバー処理の一例を示すシーケンス図である。
【図１７】本発明の変形例に係る再接続処理の一例を示すシーケンス図である。
【図１８】本発明の変形例に係る再接続処理の他の一例を示すシーケンス図である。
【図１９】本発明の変形例に係ハンドオーバー種別決定テーブルの一例を示すテーブルである。
【発明を実施するための形態】
【００１９】
（第１の実施形態）
以下、図面を参照しながら本発明の第１の実施形態について説明する。
図１は、本発明の第１の実施形態に係る無線通信システムのシステム構成の一例を示す概略図である。
無線通信システムｓｙｓは、１つまたは複数の基地局装置と、１つまたは複数の端末装置と、を含んで構成される。例えば、無線通信システムｓｙｓは、移動元基地局装置ＢＳ１と、候補基地局装置ＢＳ２と、端末装置ＵＥ１と、端末装置ＵＥ２と、を含んで構成される。移動元基地局装置ＢＳ１は、セルＣ１を形成し、セルＣ１に属する端末装置と通信する。候補基地局装置ＢＳ２は、セルＣ２を形成し、セルＣ２に属する端末装置と通信する。移動元基地局装置ＢＳ１と候補基地局装置ＢＳ２とは、有線または無線で通信する。移動元基地局装置ＢＳ１と候補基地局装置ＢＳ２とは、コアネットワーク、ＭＭＥ（いずれも非図示）などとも通信してもよい。
【００２０】
移動元基地局装置ＢＳ１は、端末装置ＵＥ１と、端末装置ＵＥ２とそれぞれ通信する。例えば、端末装置ＵＥ１、端末装置ＵＥ２のいずれか、または両方がセルＣ１のセルエッジ付近に存在すると、セルエッジ付近でないときと比べて移動元基地局装置ＢＳ１と端末装置ＵＥ１との間の通信の通信品質や、移動元基地局装置ＢＳ１と端末装置ＵＥ２との間の通信の通信品質が低下する。このとき、移動元基地局装置ＢＳ１は、端末装置ＵＥ１、端末装置ＵＥ２に対して通信品質の測定（Ｍｅａｓｕｒｅｍｅｎｔ  Ｃｏｎｔｒｏｌ）を指示し、端末装置ＵＥ１、端末装置ＵＥ２に通信品質の測定及び測定した通信品質の報告（Ｍｅａｓｕｒｅｍｅｎｔ  Ｒｅｐｏｒｔ）を送信させる。移動元基地局装置ＢＳ１は、端末装置ＵＥ１や端末装置ＵＥ２から受信した通信品質の報告に基づいて、例えば、候補基地局装置ＢＳ２にハンドオーバーさせるためのハンドオーバー処理を開始する。このハンドオーバー処理では、移動元基地局装置ＢＳ１は、候補基地局装置ＢＳ２を移動先基地局装置と決定したものと仮定する。移動元基地局装置ＢＳ１は、移動先基地局装置と決定した候補基地局装置ＢＳ２と、端末装置ＵＥ１と、それぞれ各種メッセージなどを通信することで候補基地局装置ＢＳ２と端末装置ＵＥ１との間の通信を確立させる。そして、候補基地局装置ＢＳ２と端末装置ＵＥ１との間の通信が確立すると、移動元基地局装置ＢＳ１と端末装置ＵＥ１との間の通信は、切断される。
【００２１】
本実施形態では、このようにして移動元基地局装置ＢＳ１と端末装置ＵＥ１とが通信しているときに、候補基地局装置ＢＳ２に第１種ハンドオーバーし、候補基地局装置ＢＳ２と端末装置ＵＥ１との通信を確立する場合の第１種ハンドオーバー処理について説明する。ここで、第１種ハンドオーバーは、条件付きハンドオーバー（Ｃｏｎｄｉｔｉｏｎａｌ  Ｈａｎｄｏｖｅｒ  ：  ＣＨＯ）ではないハンドオーバーである。第１種ハンドオーバーは、例えば、レガシーのハンドオーバーや、レガシーベースのハンドオーバーなどである。
【００２２】
まず、端末装置ＵＥ１の機能構成について説明する。
【００２３】
図２は、本発明の第１の実施形態に係る端末装置ＵＥ１の機能構成の一例を示す概略ブロック図である。
端末装置ＵＥ１は、通信部１１と、制御部１２と、リソース情報記憶部１３と、を含んで構成される。通信部１１は、受信部１１１と、送信部１１２と、を含んで構成される。制御部１２は、測定部１２０と、レポート生成部１２１と、接続部１２３と、情報生成部１２４と、リソース管理部１２５と、通知生成部１２６と、を含んで構成される。
ここで、以下の説明において、基地局装置を特に区別しないときには、単に基地局装置ＢＳと称する。
【００２４】
通信部１１は、移動元基地局装置ＢＳ１、移動先基地局装置ＢＳ２（候補基地局装置ともいう）等の基地局装置と、例えば、第５世代移動通信システム（５Ｇ）を用いて通信する。受信部１１１は、基地局装置ＢＳから各種データや制御情報を受信し、制御部１２に出力する。送信部１１２は、制御部１２から入力される各種データや制御情報を基地局装置ＢＳに送信する。
なお、通信部１１は、基地局装置ＢＳに送受信する各種データや制御情報に対して、符号化／復号化、変調／復調、アップコンバージョン／ダウンコンバージョンなどの各種通信処理を行ってもよい。
【００２５】
制御部１２は、端末装置ＵＥ１の各種機能を制御する。具体的には、以下のとおりである。
測定部１２０は、端末装置ＵＥ１と移動元基地局装置ＢＳ１との通信中に、通信品質の測定を指示するＭｅａｓｕｒｅｍｅｎｔ  Ｃｏｎｔｒｏｌを、受信部１１１を介して移動元基地局装置ＢＳ１から受信すると、周辺セルの基地局装置ＢＳとの間の電波環境を測定する。電波環境の測定は、例えば、周辺セルの基地局装置ＢＳからの受信信号の受信電力や、ブロックエラーレート、フレームエラーレート、スループットなどの受信品質を表す品質値の測定等である。測定部１２０は、測定結果をレポート生成部１２１に出力する。
【００２６】
レポート生成部１２１は、測定部１２０から測定結果が入力されると、周辺セルの基地局装置ＢＳを識別する識別情報と、該基地局装置ＢＳの通信品質と対応付けてＭｅａｓｕｒｅｍｅｎｔ  Ｒｅｐｏｒｔを生成する。Ｍｅａｓｕｒｅｍｅｎｔ  Ｒｅｐｏｒｔには、所望のハンドオーバー（例えば、第１種ハンドオーバー（ＨＯ））を示す、ハンドオーバーに関する端末装置の情報（例えば、第１種ハンドオーバーを実行するか否かを示す情報（フラグなど））が含まれる。ハンドオーバーに関する端末装置の情報は、第１の情報とも称する。第１の情報は、他の基地局装置への接続切り替えに関する接続切替情報や、他の基地局装置への接続切替手段情報とも称する。レポート生成部１２１は、生成したＭｅａｓｕｒｅｍｅｎｔ  Ｒｅｐｏｒｔを、送信部１１２を介して移動元基地局装置ＢＳ１に送信する。
【００２７】
接続部１２３は、移動元基地局装置ＢＳ１から他の基地局装置ＢＳ（例えば、移動先基地局装置ＢＳ２）への第１種ハンドオーバーを指示する第１種ハンドオーバー指示（指示情報、ＨＯ指示）を、受信部１１１を介して基地局装置ＢＳ１から受信すると、移動先基地局装置ＢＳ２に接続し、移動先基地局装置ＢＳ２との同期処理を開始する。接続部１２３は、同期処理を開始したことを表す信号を情報生成部１２４に出力する。
【００２８】
情報生成部１２４は、接続部１２３から同期処理を開始したことを表す信号が入力されると、同期情報を生成し、基地局装置ＢＳ２に送信する。同期情報は、基地局装置ＢＳ２と同期するための各種情報であり、例えば、各種データの送受信状況を表す情報である。
【００２９】
リソース管理部１２５は、リソース割り当て情報を、受信部１１１を介して移動先基地局装置ＢＳ２から受信すると、該リソース割り当て情報をリソース情報記憶部１３に記憶させる。リソース管理部１２５は、受信したリソース割り当て情報に基づいて、基地局装置ＢＳ２との通信のためのリソースを端末装置ＵＥ１に設定する。リソース管理部１２５は、リソースの設定が完了したことを表す信号を通知生成部１２６に出力する。
【００３０】
通知生成部１２６は、リソース管理部１２５からリソースの設定が完了したことを表す信号が入力されると、第１種ハンドオーバー処理が完了したことを表す第１種ハンドオーバー完了通知（ＨＯ完了通知）を生成する。通知生成部１２６は、生成した第１種ハンドオーバー完了通知を、送信部１１２を介して移動先基地局装置ＢＳ２に送信する。
【００３１】
リソース情報記憶部１３は、通信する基地局装置ＢＳごとのリソース情報を記憶する。リソース情報には、上りリンクリソースと、下りリンクリソースとが含まれる。
【００３２】
次に、端末装置ＵＥ１のハードウェア構成について説明する。
【００３３】
図３は、本発明の第１の実施形態に係る端末装置ＵＥ１のハードウェア構成の一例を示す概略ブロック図である。
端末装置ＵＥ１は、ＣＰＵ１０１と、記憶媒体インタフェース部１０２と、記憶媒体１０３と、入力部１０４と、出力部１０５と、ＲＯＭ１０６（Ｒｅａｄ  Ｏｎｌｙ  Ｍｅｍｏｒｙ）と、ＲＡＭ１０７（Ｒａｎｄｏｍ  Ａｃｃｅｓｓ  Ｍｅｍｏｒｙ）と、補助記憶部１０８と、ネットワークインタフェース部１０９と、を備える。ＣＰＵ１０１と、記憶媒体インタフェース部１０２と、入力部１０４と、出力部１０５と、ＲＯＭ１０６と、ＲＡＭ１０７と、補助記憶部１０８と、ネットワークインタフェース部１０９とは、バスを介して相互に接続される。
なお、ここで言うＣＰＵ１０１は、プロセッサ一般のことを示すものであって、狭義のいわゆるＣＰＵと呼ばれるデバイスのことだけではなく、例えばＧＰＵやＤＳＰ等も含む。また、ここで言うＣＰＵ１０１は、一つのプロセッサで実現されることに限られず、同じ、または異なる種類の複数のプロセッサを組み合わせることで実現されてもよい。
【００３４】
ＣＰＵ１０１は、補助記憶部１０８、ＲＯＭ１０６およびＲＡＭ１０７が記憶するプログラムを読み出して実行し、また、補助記憶部１０８、ＲＯＭ１０６およびＲＡＭ１０７が記憶する各種データを読み出し、補助記憶部１０８、ＲＡＭ１０７に対して各種データを書き込むことにより、端末装置ＵＥ１を制御する。また、ＣＰＵ１０１は、記憶媒体インタフェース部１０２を介して記憶媒体１０３が記憶する各種データを読み出し、また、記憶媒体１０３に各種データを書き込む。記憶媒体１０３は、光磁気ディスク、フレキシブルディスク、フラッシュメモリなどの可搬記憶媒体であり、各種データを記憶する。
記憶媒体インタフェース部１０２は、記憶媒体１０３の読み書きを行うインタフェースである。
【００３５】
入力部１０４は、マウス、キーボード、タッチパネル、音量調整ボタン、電源ボタン、設定ボタン、赤外線受信部などの入力装置である。
出力部１０５は、表示部、スピーカなどの出力装置である。
ＲＯＭ１０６、ＲＡＭ１０７は、端末装置ＵＥ１の各機能部を動作させるためのプログラムや各種データを記憶する。
補助記憶部１０８は、ハードディスクドライブ、フラッシュメモリなどであり、端末装置ＵＥ１の各機能部を動作させるためのプログラム、各種データを記憶する。
ネットワークインタフェース部１０９は、通信インタフェースを有し、例えば５Ｇなどの無線通信によりネットワークＮＷに接続される。
【００３６】
例えば、図２における端末装置ＵＥ１の機能構成における通信部１１は、図３に示すハードウェア構成におけるネットワークインタフェース部１０９に対応する。また、例えば、図２における端末装置ＵＥ１の機能構成における制御部１２は、図３に示すハードウェア構成におけるＣＰＵ１０１に対応する。また、例えば、図２における端末装置ＵＥ１の機能構成におけるリソース情報記憶部１３は、図３に示すハードウェア構成におけるＲＯＭ１０６、ＲＡＭ１０７または補助記憶部１０８、またはそれらの何れかの組み合わせに対応する。
【００３７】
次に、移動元基地局装置ＢＳ１の機能構成について説明する。
【００３８】
図４は、本発明の第１の実施形態に係る移動元基地局装置ＢＳ１の機能構成の一例を示す概略ブロック図である。
ここで、第１種ハンドオーバーにおける移動元の基地局装置と移動先の基地局装置とを区別するために、基地局装置ＢＳ１を移動元基地局装置とし、基地局装置ＢＳ２を移動先の候補となる候補基地局装置として説明する。候補基地局装置は、１つでなく複数であってもよい。候補基地局装置が１つである場合は、該１つの候補基地局装置が移動先基地局装置となる。候補基地局装置が複数である場合は、複数の候補基地局装置のうちのいずれかの候補基地局装置が移動先基地局装置となる。
【００３９】
移動元基地局装置ＢＳ１は、通信部３０と、制御部３１と、を含んで構成される。通信部３０は、受信部３０１と、送信部３０２と、を含んで構成される。制御部３１は、測定指示部３１０と、決定部３１１と、要求部３１２と、指示部３１３と、を含んで構成される。
通信部３０は、他の基地局装置ＢＳ（例えば、基地局装置ＢＳ２）や、端末装置ＵＥ１などの端末装置ＵＥと、例えば、第５世代移動通信システム（５Ｇ）を用いて通信する。受信部３０１は、基地局装置ＢＳ２から各種データや制御情報を受信し、制御部３１に出力する。また、受信部３０１は、端末装置ＵＥ１から各種データや制御情報を受信し、制御部３１に出力する。送信部３０２は、制御部３１から入力される各種データや制御情報を基地局装置ＢＳ２に送信する。また、送信部３０２は、制御部３１から入力される各種データや制御情報を端末装置ＵＥ１に送信する。
なお、通信部３０は、基地局装置ＢＳや端末装置ＵＥに送受信する各種データや制御情報に対して、符号化／復号化、変調／復調、アップコンバージョン／ダウンコンバージョンなどの各種通信処理を行ってもよい。
【００４０】
制御部３１は、移動元基地局装置ＢＳ１を制御する。具体的には、以下のとおりである。
測定指示部３１０は、端末装置ＵＥ１に対する周辺セルの基地局装置の通信品質の測定を指示するＭｅａｓｕｒｅｍｅｎｔ  Ｃｏｎｔｒｏｌを生成する。測定指示部３１０は、生成したＭｅａｓｕｒｅｍｅｎｔ  Ｃｏｎｔｒｏｌを、送信部３０２を介して端末装置ＵＥ１に送信する。Ｍｅａｓｕｒｅｍｅｎｔ  Ｃｏｎｔｒｏｌの生成（送信）は、所定周期であってもよいし、所定条件を満たす場合であってもよいし、所定条件を満たさない場合であってもよい。
【００４１】
決定部３１１は、受信部３０１を介して通信品質の測定結果を表すＭｅａｓｕｒｅｍｅｎｔ  Ｒｅｐｏｒｔを端末装置ＵＥ１から受信すると、Ｍｅａｓｕｒｅｍｅｎｔ  Ｒｅｐｏｒｔに含まれるハンドオーバーに関する端末装置の情報と、周辺セルの基地局装置ＢＳ（候補基地局装置ＢＳ）ごとの通信品質と、自装置と端末装置ＵＥ１との間の通信品質とに基づいて、端末装置ＵＥ１に第１種ハンドオーバーをさせるか否かを決定する。決定部３１１は、例えば、ハンドオーバーに関する端末装置の情報によって示される所望のハンドオーバーが第１種ハンドオーバーであり、通信品質に基づいて候補基地局装置ＢＳの中から基地局装置ＢＳ２を移動先基地局装置と決定したとする。決定部３１１は、端末装置ＵＥ１の第１種ハンドオーバーを決定すると、決定したことを表す信号を要求部３１２に出力する。
【００４２】
要求部３１２は、決定部３１１から決定したことを表す信号が入力されると、移動先基地局装置ＢＳ２への第１種ハンドオーバーを要求する第１種ハンドオーバー要求を生成する。要求部３１２は、生成した第１種ハンドオーバー要求を、送信部３０２を介して移動先基地局装置ＢＳ２に送信する。
【００４３】
指示部３１３は、要求部３１２が送信した第１種ハンドオーバー要求に対する応答として第１種ハンドオーバー応答を、受信部３０１を介して移動先基地局装置ＢＳ２から受信すると、移動先基地局装置ＢＳ２へのハンドオーバーを指示する第１種ハンドオーバー指示（指示情報）を生成する。指示部３１３は、生成した第１種ハンドオーバー指示を、送信部３０２を介して端末装置ＵＥ１に送信する。
また、指示部３１３は、第１種ハンドオーバー指示を端末装置ＵＥ１に送信すると、端末装置ＵＥ１とのデータの送受信状況を表す情報として、ＳＮ  Ｓｔａｔｕｓ  Ｔｒａｎｓｆｅｒを、送信部３０２を介して移動先基地局装置ＢＳ２に送信する。
【００４４】
次に、移動先基地局装置ＢＳ２の機能構成について説明する。
【００４５】
図５は、本発明の第１の実施形態に係る移動先基地局装置ＢＳ２の機能構成の一例を示す概略ブロック図である。
ここで、本実施形態では、上述のように候補基地局装置ＢＳの１つである基地局装置ＢＳ２が移動先基地局装置ＢＳ２である場合について説明するが、候補基地局装置は、移動先基地局装置ＢＳ２と同様の構成であればよい。
【００４６】
移動先基地局装置ＢＳ２は、通信部４０と、制御部４１と、端末情報記憶部４２と、を含んで構成される。通信部４０は、受信部４０１と、送信部４０２と、を含んで構成される。制御部４１は、要求受け入れ部４１１と、同期処理部４１２と、リソース割り当て部４１３と、接続部４１４と、を含んで構成される。
通信部４０は、他の基地局装置ＢＳ（例えば、基地局装置ＢＳ１）や、端末装置ＵＥ１などの端末装置ＵＥと、例えば、第５世代移動通信システム（５Ｇ）を用いて通信する。受信部４０１は、基地局装置ＢＳ１から各種データや制御情報を受信し、制御部４１に出力する。また、受信部４０１は、端末装置ＵＥ１から各種データや制御情報を受信し、制御部４１に出力する。送信部４０２は、制御部４１から入力される各種データや制御情報を基地局装置ＢＳ１に送信する。また、送信部４０２は、制御部４１から入力される各種データや制御情報を端末装置ＵＥ１に送信する。
なお、通信部４０は、基地局装置ＢＳや端末装置ＵＥに送受信する各種データや制御情報に対して、符号化／復号化、変調／復調、アップコンバージョン／ダウンコンバージョンなどの各種通信処理を行ってもよい。
【００４７】
制御部４１は、移動先基地局装置ＢＳ２を制御する。具体的には、以下のとおりである。
要求受け入れ部４１１は、受信部４０１を介して移動元基地局装置ＢＳ１から第１種ハンドオーバー要求（ＨＯ要求）を受信すると、第１種ハンドオーバー受け入れ処理を実行する。第１種ハンドオーバー受け入れ処理は、ハンドオーバーの移動先基地局装置として動作するための各種処理であり、例えば、移動元基地局装置ＢＳ１と移動先基地局装置ＢＳ２との間の各種ネゴシエーション等である。要求受け入れ部４１１は、第１種ハンドオーバー受け入れ処理が完了すると、第１種ハンドオーバー要求に対する応答としての第１種ハンドオーバー応答（ＨＯ応答）を、送信部４０２を介して移動元基地局装置ＢＳ１に送信する。
【００４８】
同期処理部４１２は、受信部４０１を介して移動元基地局装置ＢＳ１からＳＮ  Ｓｔａｔｕｓ  Ｔｒａｎｓｆｅｒを受信すると、端末装置ＵＥ１との同期処理を行う。同期処理部４１２は、端末装置ＵＥ１との同期処理が完了すると、リソース割り当て部４１３に同期完了信号を出力する。
【００４９】
リソース割り当て部４１３は、同期処理部４１２から同期完了信号が入力されると、端末装置ＵＥ１に割り当てる無線リソースをリソース割り当て情報として端末装置ＵＥ１に通知する。また、リソース割り当て部４１３は、端末装置ＵＥ１のリソース割り当て情報と、端末装置ＵＥ１の識別情報とを対応付けて、端末情報記憶部４２に記憶させる。
【００５０】
接続部４１４は、受信部４０１を介して端末装置ＵＥ１から第１種ハンドオーバー完了通知（ＨＯ完了通知）を受信すると、端末装置ＵＥ１と接続し、通信する。
【００５１】
端末情報記憶部４２は、端末装置の識別情報と、端末装置毎のリソース割り当て情報とを対応付けて記憶する。
【００５２】
なお、移動元基地局装置ＢＳ１と移動先基地局装置ＢＳ２とは、それぞれ移動元基地局装置ＢＳ１と移動先基地局装置ＢＳ２との両方の機能を有する基地局装置であってもよい。
【００５３】
次に、移動元基地局装置ＢＳ１と移動先基地局装置ＢＳ２のハードウェア構成について説明する。
【００５４】
図６は、本発明の第１の実施形態に係る基地局装置のハードウェア構成の一例を示す概略ブロック図である。
ここで、本実施形態では、移動元基地局装置ＢＳ１の機能構成と移動先基地局装置ＢＳ２の機能構成が異なる場合の一例について説明するが、移動元基地局装置ＢＳ１と移動先基地局装置ＢＳ２とは、それぞれ移動元基地局装置ＢＳ１と移動先基地局装置ＢＳ２との両方の機能を有する基地局装置であってもよい。移動元基地局装置ＢＳ１と移動先基地局装置ＢＳ２とが異なる機能構成である場合も、移動元基地局装置ＢＳ１と移動先基地局装置ＢＳ２とが同じ機能構成である場合でもハードウェア構成は同様であるので、基地局装置ＢＳのハードウェア構成として説明する。
【００５５】
基地局装置ＢＳは、ＣＰＵ２０１と、記憶媒体インタフェース部２０２と、記憶媒体２０３と、入力部２０４と、出力部２０５と、ＲＯＭ２０６（Ｒｅａｄ  Ｏｎｌｙ  Ｍｅｍｏｒｙ）と、ＲＡＭ２０７（Ｒａｎｄｏｍ  Ａｃｃｅｓｓ  Ｍｅｍｏｒｙ）と、補助記憶部２０８と、ネットワークインタフェース部２０９と、を備える。ＣＰＵ２０１と、記憶媒体インタフェース部２０２と、入力部２０４と、出力部２０５と、ＲＯＭ２０６と、ＲＡＭ２０７と、補助記憶部２０８と、ネットワークインタフェース部２０９とは、バスを介して相互に接続される。
なお、ここで言うＣＰＵ２０１は、プロセッサ一般のことを示すものであって、狭義のいわゆるＣＰＵと呼ばれるデバイスのことだけではなく、例えばＧＰＵやＤＳＰ等も含む。また、ここで言うＣＰＵ２０１は、一つのプロセッサで実現されることに限られず、同じ、または異なる種類の複数のプロセッサを組み合わせることで実現されてもよい。
【００５６】
ＣＰＵ２０１は、補助記憶部２０８、ＲＯＭ２０６およびＲＡＭ２０７が記憶するプログラムを読み出して実行し、また、補助記憶部２０８、ＲＯＭ２０６およびＲＡＭ２０７が記憶する各種データを読み出し、補助記憶部２０８、ＲＡＭ２０７に対して各種データを書き込むことにより、基地局装置ＢＳを制御する。また、ＣＰＵ２０１は、記憶媒体インタフェース部２０２を介して記憶媒体２０３が記憶する各種データを読み出し、また、記憶媒体２０３に各種データを書き込む。記憶媒体２０３は、光磁気ディスク、フレキシブルディスク、フラッシュメモリなどの可搬記憶媒体であり、各種データを記憶する。
記憶媒体インタフェース部２０２は、記憶媒体２０３の読み書きを行うインタフェースである。
【００５７】
入力部２０４は、マウス、キーボード、タッチパネル、音量調整ボタン、電源ボタン、設定ボタン、赤外線受信部などの入力装置である。
出力部２０５は、表示部、スピーカなどの出力装置である。
ＲＯＭ２０６、ＲＡＭ２０７は、基地局装置ＢＳの各機能部を動作させるためのプログラムや各種データを記憶する。
補助記憶部２０８は、ハードディスクドライブ、フラッシュメモリなどであり、基地局装置ＢＳの各機能部を動作させるためのプログラム、各種データを記憶する。
ネットワークインタフェース部２０９は、通信インタフェースを有し、有線または無線によりネットワークＮＷに接続される。具体的には、ネットワークインタフェース部２０９は、例えば、端末装置と無線通信を行うための無線通信インタフェース（非図示）と、管理装置や他の基地局装置との有線通信を行うための有線通信インタフェース（非図示）と、を含む。無線通信インタフェースと有線通信インタフェースとは、それぞれネットワーク  ＮＷに接続される。
【００５８】
例えば、図４における移動元基地局装置ＢＳ１の機能構成における通信部３０、図５における移動先基地局装置ＢＳ２の機能構成における通信部４０は、図６に示すハードウェア構成におけるネットワークインタフェース部２０９に対応する。また、例えば、図４における移動元基地局装置ＢＳ１の機能構成における制御部３１、移動先基地局装置ＢＳ２の機能構成における制御部４１は、図６に示すハードウェア構成におけるＣＰＵ２０１に対応する。また、例えば、図４における移動先基地局装置ＢＳ２の機能構成における端末情報記憶部４２は、図６に示すハードウェア構成におけるＲＯＭ２０６、ＲＡＭ２０７または補助記憶部２０８、またはそれらの何れかの組み合わせに対応する。
【００５９】
次に、移動元基地局装置ＢＳ１の第１種ハンドオーバー処理の一例を示すフローチャートについて説明する。
図７は、第１の実施形態に係る移動元基地局装置ＢＳ１の第１種ハンドオーバー処理の一例を示すフローチャートである。
ステップＳ１００において、移動元基地局装置ＢＳ１は、端末装置ＵＥ１にＭｅａｓｕｒｅｍｅｎｔ  Ｃｏｎｔｒｏｌを送信する。
ステップＳ１０２において、移動元基地局装置ＢＳ１は、Ｍｅａｓｕｒｅｍｅｎｔ  Ｃｏｎｔｒｏｌを受信した端末装置ＵＥ１によるＭｅａｓｕｒｅｍｅｎｔ  Ｒｅｐｏｒｔを、端末装置ＵＥ１から受信する。
【００６０】
ステップＳ１０４において、移動元基地局装置ＢＳ１は、Ｍｅａｓｕｒｅｍｅｎｔ  Ｒｅｐｏｒｔに含まれるハンドオーバーに関する端末装置の情報を参照し、第１種ハンドオーバーを実行するか否かを判定する。ハンドオーバーに関する端末装置の情報が第１種ハンドオーバーの実行を指示する情報である場合（ステップＳ１０４；ＹＥＳ）、移動元基地局装置ＢＳ１は、ステップＳ１０６の処理を実行する。一方、ハンドオーバーに関する端末装置の情報が第１種ハンドオーバーを実行しないことを指示する情報である場合（ステップＳ１０４；ＮＯ）、移動元基地局装置ＢＳ１は、第１種ハンドオーバー処理を終了する。
【００６１】
ステップＳ１０６において、移動元基地局装置ＢＳ１は、Ｍｅａｓｕｒｅｍｅｎｔ  Ｒｅｐｏｒｔに含まれる周辺セルの基地局装置ＢＳ（候補基地局装置ＢＳ）ごとの通信品質と、自装置と端末装置ＵＥ１との間の通信品質とに基づいて、端末装置ＵＥ１に第１種ハンドオーバーをさせるか否かを決定する。移動元基地局装置ＢＳ１は、端末装置ＵＥ１に第１種ハンドオーバーさせないと決定した場合、移動元基地局装置ＢＳ１は、第１種ハンドオーバー処理を終了する。一方、第１種ハンドオーバーさせると決定した場合、移動元基地局装置ＢＳ１は、ステップＳ１０８の処理を実行する。
【００６２】
ステップＳ１０８において、移動元基地局装置ＢＳ１は、移動先基地局装置ＢＳ２に第１種ハンドオーバー要求を送信する。
ステップＳ１１０において、移動元基地局装置ＢＳ１は、第１種ハンドオーバー要求に対するハンドオーバー応答を受信する。
ステップＳ１１２において、移動元基地局装置ＢＳ１は、端末装置ＵＥ１に第１種ハンドオーバー指示を送信する。
ステップＳ１１４において、移動元基地局装置ＢＳ１は、移動先基地局装置ＢＳ２にＳＮ  Ｓｔａｔｕｓ  Ｔｒａｎｓｆｅｒを送信する。
そして、第１種ハンドオーバー処理を終了する。
【００６３】
次に、本実施形態に係る第１種ハンドオーバー処理の一例を示すシーケンスについて説明する。
【００６４】
図８は、本発明の第１の実施形態に係る第１種ハンドオーバー処理の一例を示すシーケンス図である。
ステップＳＴ１００において、端末装置ＵＥ１は、移動元基地局装置ＢＳ１と通信する。
ステップＳＴ１０２において、移動元基地局装置ＢＳ１は、端末装置ＵＥ１に通信品質の測定を指示するＭｅａｓｕｒｅｍｅｎｔ  Ｃｏｎｔｒｏｌを送信する。
ステップＳＴ１０４において、端末装置は通信品質を測定し、測定結果と、ハンドオーバーに関する端末装置の情報を含むＭｅａｓｕｒｅｍｅｎｔ  Ｒｅｐｏｒｔを移動元基地局装置ＢＳ１に送信する。
【００６５】
ステップＳＴ１０６において、移動元基地局装置ＢＳ１は、Ｍｅａｓｕｒｅｍｅｎｔ  Ｒｅｐｏｒｔに含まれるハンドオーバーに関する端末装置の情報と、周辺セルの基地局装置ＢＳ（候補基地局装置ＢＳ）ごとの通信品質と、自装置と端末装置ＵＥ１との間の通信品質とに基づいて、端末装置ＵＥ１に第１種ハンドオーバーをさせるか否かを決定する。
【００６６】
ステップＳＴ１０８において、移動元基地局装置ＢＳ１は、移動先基地局装置ＢＳ２への第１種ハンドオーバーを要求する第１種ハンドオーバー要求を生成する。要求部３１２は、生成した第１種ハンドオーバー要求を移動先基地局装置ＢＳ２に送信する。
【００６７】
ステップＳＴ１１０において、移動先基地局装置ＢＳ２は、移動元基地局装置ＢＳ１から第１種ハンドオーバー要求を受信すると、第１種ハンドオーバー受け入れ処理を実行する。
ステップＳＴ１１２において、移動先基地局装置ＢＳ２は、第１種ハンドオーバー受け入れ処理が完了すると、第１種ハンドオーバー要求に対する応答としての第１種ハンドオーバー応答を移動元基地局装置ＢＳ１に送信する。
【００６８】
ステップＳＴ１１４において、移動元基地局装置ＢＳ１は、端末装置ＵＥ１の移動先基地局装置ＢＳ２へのハンドオーバーを指示する第１種ハンドオーバー指示（指示情報）を生成する。移動元基地局装置ＢＳ１は、生成した第１種ハンドオーバー指示を端末装置ＵＥ１に送信する。
【００６９】
ステップＳＴ１１６において、移動元基地局装置ＢＳ１は、端末装置ＵＥ１とのデータの送受信状況を表す情報として、ＳＮ  Ｓｔａｔｕｓ  Ｔｒａｎｓｆｅｒを移動先基地局装置ＢＳ２に送信する。
【００７０】
ステップＳＴ１１８において、端末装置ＵＥ１は、移動先基地局装置ＢＳ２に接続し、移動先基地局装置ＢＳ２との同期処理を開始する。
ステップＳＴ１２０において、移動先基地局装置ＢＳ２は、端末装置ＵＥ１に割り当てる無線リソースをリソース割り当て情報として端末装置ＵＥ１に通知する。
【００７１】
ステップＳＴ１２２において、端末装置ＵＥ１は、第１種ハンドオーバー処理が完了したことを表す第１種ハンドオーバー完了通知を生成する。端末装置ＵＥ１は、生成した第１種ハンドオーバー完了通知を移動先基地局装置ＢＳ２に送信する。
【００７２】
ステップＳＴ１２４において、移動先基地局装置ＢＳ２は、端末装置ＵＥ１から第１種ハンドオーバー完了通知を受信すると、端末装置ＵＥ１と接続し、通信する。
【００７３】
このように、第１の実施形態に係る端末装置ＵＥ１は、移動元基地局装置ＢＳ１と通信する端末装置ＵＥ１であって、ハンドオーバーに関する測定結果と、ハンドオーバーに関する端末装置の情報と、を移動元基地局装置ＢＳ１に送信する送信部１１２と、指示情報（ハンドオーバー指示）を移動元基地局装置ＢＳ１から受信する受信部１１１と、指示情報に基づいて、移動先基地局装置ＢＳ２と接続する接続部１２３と、を備える。
また、ハンドオーバーに関する端末装置の情報は、ハンドオーバーするか否かを示す情報（例えば、第１種ハンドオーバーを実行するか否かを指示する情報）である。
【００７４】
これにより、端末装置ＵＥ１は、ハンドオーバーする場合に不必要な無線リソースを確保することがないため、無線リソースを有効に活用することができる。また、端末装置ＵＥ１は、第１種ハンドオーバーを実行するか否かを自ら選択することができるため、無線通信システムにおいて、無線リソースを有効に活用することができる。
【００７５】
（第２の実施形態）
次いで、第２の実施形態について説明する。第２の実施形態では、第１種ハンドオーバーの代わり第２種ハンドオーバーを行う場合の一例について説明する。ここで、第２の実施形態では、第１の実施形態と異なる部分を中心に説明する。
【００７６】
まず、端末装置ＵＥ１の機能構成について説明する。
第２の実施形態に係る端末装置ＵＥ１の機能構成は、第１の実施形態に係る端末装置ＵＥ１の機能構成と同様であるため図示を省略し、第２の実施形態に係る端末装置ＵＥ１の機能構成で異なる部分を中心に説明する。
【００７７】
レポート生成部１２１は、測定部１２０から測定結果が入力され、自装置と移動元基地局装置ＢＳ１Ａとの間の通信の通信品質（測定値）が第１の閾値を超えると、周辺セルの基地局装置ＢＳを識別する識別情報と、該基地局装置ＢＳの通信品質と対応付けてＭｅａｓｕｒｅｍｅｎｔ  Ｒｅｐｏｒｔを生成する。Ｍｅａｓｕｒｅｍｅｎｔ  Ｒｅｐｏｒｔには、所望のハンドオーバー（例えば、第２種ハンドオーバー、Ｃｏｎｄｉｔｉｏｎａｌ  Ｈａｎｄｏｖｅｒとも称する）を示す、ハンドオーバーに関する端末装置の情報（例えば、第２種ハンドオーバーを実行するか否かを示す情報（フラグなど））が含まれる。ハンドオーバーに関する端末装置の情報は、第２の情報とも称する。第２の情報は、他の基地局装置への接続切り替えに関する接続切替情報や、他の基地局装置への接続切替手段情報とも称する。レポート生成部１２１は、生成したＭｅａｓｕｒｅｍｅｎｔ  Ｒｅｐｏｒｔを、送信部１１２を介して移動元基地局装置ＢＳ１Ａに送信する。
【００７８】
接続部１２３は、移動元基地局装置ＢＳ１Ａから他の基地局装置ＢＳ（例えば、移動先基地局装置ＢＳ２Ａ）への第２種ハンドオーバーを指示する第２種ハンドオーバー指示（ＣＨＯ指示、指示情報）を、受信部１１１を介して移動元基地局装置ＢＳ１Ａから受信し、自装置と移動元基地局装置ＢＳ１Ａとの間の通信の通信品質が第２の閾値を超えると、移動先基地局装置ＢＳ２Ａに接続し、移動先基地局装置ＢＳ２Ａとの同期処理を開始する。第２種ハンドオーバー指示には、端末装置ＵＥ１にリザーブした無線リソースのリソース割り当て情報が含まれる。接続部１２３は、同期処理を開始したことを表す信号を情報生成部１２４に出力する。
【００７９】
通知生成部１２６は、リソース管理部１２５からリソースの設定が完了したことを表す信号が入力されると、第２種ハンドオーバー処理が完了したことを表す第２種ハンドオーバー完了通知（ＣＨＯ完了通知）を生成する。通知生成部１２６は、生成した第２種ハンドオーバー完了通知（ＣＨＯ完了通知）を、送信部１１２を介して移動先基地局装置ＢＳ２Ａに送信する。
【００８０】
次に、移動元基地局装置ＢＳ１Ａの構成について説明する。
【００８１】
図９は、第２の実施形態に係る移動元基地局装置ＢＳ１Ａの機能構成の一例を示す概略ブロック図である。
移動元基地局装置ＢＳ１Ａは、通信部３０と、制御部３１Ａと、を含んで構成される。通信部３０は、受信部３０１と、送信部３０２と、を含んで構成される。制御部３１Ａは、測定指示部３１０と、決定部３１１Ａと、要求部３１２Ａと、指示部３１３Ａと、キャンセル処理部３１４Ａと、を含んで構成される。
【００８２】
制御部３１Ａは、移動元基地局装置ＢＳ１Ａを制御する。
決定部３１１Ａは、受信部３０１を介して通信品質の測定結果を表すＭｅａｓｕｒｅｍｅｎｔ  Ｒｅｐｏｒｔを端末装置ＵＥ１から受信すると、Ｍｅａｓｕｒｅｍｅｎｔ  Ｒｅｐｏｒｔに含まれるハンドオーバーに関する端末装置の情報と、周辺セルの基地局装置ＢＳ（候補基地局装置ＢＳ）ごとの通信品質と、自装置と端末装置ＵＥ１との間の通信品質とに基づいて、端末装置ＵＥ１に第２種ハンドオーバーをさせるか否かを決定する。決定部３１１Ａは、例えば、ハンドオーバーに関する端末装置の情報によって示される所望のハンドオーバーが第２種ハンドオーバーであり、通信品質に基づいて１つまたは複数の移動先候補となる候補基地局装置ＢＳを決定する。決定部３１１Ａは、端末装置ＵＥ１の第２種ハンドオーバーを決定すると、決定したことを表す信号を要求部３１２Ａに出力する。
【００８３】
要求部３１２Ａは、決定部３１１Ａから決定したことを表す信号が入力されると、１つまたは複数の候補基地局装置ＢＳ（例えば、移動先基地局装置ＢＳ２Ａ、候補基地局装置ＢＳ３）への第２種ハンドオーバーを要求する第２種ハンドオーバー要求を生成する。要求部３１２Ａは、生成した第２種ハンドオーバー要求を、送信部３０２を介して１つまたは複数の候補基地局装置ＢＳに送信する。
本実施形態では、候補基地局装置が２つの基地局装置である場合について説明する。この候補基地局装置のうちの１つを移動先基地局装置ＢＳ２Ａと称し、もう１つの候補基地局装置を候補基地局装置ＢＳ３と称して説明するが、これに限定されない。
【００８４】
指示部３１３Ａは、要求部３１２Ａが送信した第２種ハンドオーバー要求に対する応答として第２種ハンドオーバー応答（ＣＨＯ応答）を、受信部３０１を介して移動先基地局装置ＢＳ２Ａ及び候補基地局装置ＢＳ３から受信すると、移動先基地局装置ＢＳ２Ａへの第２種ハンドオーバーを指示する第２種ハンドオーバー指示（指示情報）を生成する。第２種ハンドオーバー応答には、端末装置ＵＥ１にリザーブした無線リソースのリソース割り当て情報が含まれる。指示部３１３Ａは、生成した第２種ハンドオーバー指示を、送信部３０２を介して端末装置ＵＥ１に送信する。第２種ハンドオーバー指示には、第２種ハンドオーバー応答に含まれていた、端末装置ＵＥ１にリザーブした無線リソースのリソース割り当て情報が含まれる。
【００８５】
キャンセル処理部３１４Ａは、受信部３０１を介して移動先基地局装置ＢＳ２Ａから第２種ハンドオーバー完了報告（ＣＨＯ完了報告）を受信すると、第２種ハンドオーバーキャンセル通知を、送信部３０２を介して候補基地局装置ＢＳ３に送信する。第２種ハンドオーバーキャンセル通知は、候補基地局装置ＢＳ３がリザーブした端末装置ＵＥ１用の無線リソースの開放等のキャンセル処理を指示する通知である。
また、キャンセル処理部３１４Ａは、受信部３０１を介して候補基地局装置ＢＳ３からキャンセル処理が完了したことを表す第２種ハンドオーバーキャンセル応答を受信すると、端末装置ＵＥ１と移動元基地局装置ＢＳ１Ａとの間のデータの送受信状況を表す情報として、ＳＮ  Ｓｔａｔｕｓ  Ｔｒａｎｓｆｅｒを、送信部３０２を介して移動先基地局装置ＢＳ２Ａに送信する。
【００８６】
次に、移動先基地局装置ＢＳ２Ａの機能構成について説明する。なお、候補基地局装置ＢＳ３の機能構成は、移動先基地局装置ＢＳ２Ａの機能構成と同様であるため、説明を援用し、図示及び説明を省略する。
【００８７】
図１０は、第２の実施形態に係る移動先基地局装置ＢＳ２Ａの構成の一例を示す概略ブロック図である。
移動先基地局装置ＢＳ２Ａは、通信部４０と、制御部４１Ａと、を含んで構成される。通信部４０は、受信部４０１と、送信部４０２と、を含んで構成される。制御部４１Ａは、要求受け入れ部４１１Ａと、同期処理部４１２Ａと、リソース割り当て部４１３Ａと、接続部４１４Ａと、リソース開放部４１５Ａと、を含んで構成される。
制御部４１Ａは、移動先基地局装置ＢＳ２Ａを制御する。
要求受け入れ部４１１Ａは、受信部４０１を介して移動元基地局装置ＢＳ１から第２種ハンドオーバー要求（ＣＨＯ要求）を受信すると、第２種ハンドオーバー受け入れ処理（ＣＨＯ受け入れ処理）を実行する。第２種ハンドオーバー受け入れ処理は、ハンドオーバーの移動先基地局装置として動作するための各種処理であり、例えば、移動元基地局装置ＢＳ１Ａと移動先基地局装置ＢＳ２Ａとの間の各種ネゴシエーション等である。要求受け入れ部４１１Ａは、第２種ハンドオーバー受け入れ処理が完了すると、第２種ハンドオーバー要求に対する応答としての第２種ハンドオーバー応答（ＣＨＯ応答）を、送信部４０２を介して移動元基地局装置ＢＳ１Ａに送信する。第２種ハンドオーバー応答には、端末装置ＵＥ１にリザーブした無線リソースのリソース割り当て情報が含まれる。
【００８８】
同期処理部４１２Ａは、端末装置ＵＥ１からリザーブした無線リソースを用いた接続があると、接続処理を実行する。
【００８９】
リソース割り当て部４１３Ａは、受信部４０１を介して移動元基地局装置ＢＳ１Ａから第２種ハンドオーバー要求を受信すると、端末装置ＵＥ１に割り当てる無線リソースをリザーブする。リソース割り当て部４１３Ａは、リザーブした無線リソースをリソース割り当て情報として要求受け入れ部４１１Ａに出力する。また、リソース割り当て部４１３Ａは、端末装置ＵＥ１のリソース割り当て情報と、端末装置ＵＥ１の識別情報とを対応付けて、端末情報記憶部４２に記憶させる。
【００９０】
接続部４１４Ａは、受信部４０１を介して端末装置ＵＥ１から第２種ハンドオーバー処理が完了したことを表す第２種ハンドオーバー完了通知（ＣＨＯ完了通知）を受信すると、該第２種ハンドオーバー完了通知（ＣＨＯ完了通知）を、送信部４０２を介して移動元基地局装置ＢＳ１Ａに送信する。
また、接続部４１４Ａは、受信部３０１を介して移動元基地局装置ＢＳ１Ａから、端末装置ＵＥ１と移動元基地局装置ＢＳ１Ａとの間のデータの送受信状況を表す情報として、ＳＮ  Ｓｔａｔｕｓ  Ｔｒａｎｓｆｅｒを受信すると、端末装置ＵＥ１と接続し、通信する。
【００９１】
次に、移動元基地局装置ＢＳ１Ａの第２種ハンドオーバー処理の一例を示すフローチャートについて説明する。
図１１は、第２の実施形態に係る移動元基地局装置ＢＳ１Ａの第２種ハンドオーバー処理の一例を示すフローチャートである。
ステップＳ２００において、移動元基地局装置ＢＳ１Ａは、端末装置ＵＥ１にＭｅａｓｕｒｅｍｅｎｔ  Ｃｏｎｔｒｏｌを送信する。
ステップＳ２０２において、移動元基地局装置ＢＳ１Ａは、Ｍｅａｓｕｒｅｍｅｎｔ  Ｃｏｎｔｒｏｌを受信した端末装置ＵＥ１によるＭｅａｓｕｒｅｍｅｎｔ  Ｒｅｐｏｒｔを、端末装置ＵＥ１から受信する。
【００９２】
ステップＳ２０４において、移動元基地局装置ＢＳ１Ａは、Ｍｅａｓｕｒｅｍｅｎｔ  Ｒｅｐｏｒｔに含まれるハンドオーバーに関する端末装置の情報を参照し、第２種ハンドオーバー（ＣＨＯ）を実行するか否かを判定する。ハンドオーバーに関する端末装置の情報が第２種ハンドオーバーの実行を指示する情報である場合（ステップＳ２０４；ＹＥＳ）、移動元基地局装置ＢＳ１Ａは、ステップＳ２０６の処理を実行する。一方、ハンドオーバーに関する端末装置の情報が第２種ハンドオーバーを実行しないことを指示する情報である場合（ステップＳ２０４；ＮＯ）、移動元基地局装置ＢＳ１Ａは、第２種ハンドオーバー処理を終了する。
【００９３】
ステップＳ２０６において、移動元基地局装置ＢＳ１Ａは、Ｍｅａｓｕｒｅｍｅｎｔ  Ｒｅｐｏｒｔに含まれる周辺セルの基地局装置ＢＳ（候補基地局装置ＢＳ）ごとの通信品質と、自装置と端末装置ＵＥ１との間の通信品質とに基づいて、端末装置ＵＥ１に第２種ハンドオーバーをさせるか否かを決定する。移動元基地局装置ＢＳ１は、端末装置ＵＥ１に第２種ハンドオーバーさせないと決定した場合、移動元基地局装置ＢＳ１Ａは、第２種ハンドオーバー処理を終了する。一方、第２種ハンドオーバーさせると決定した場合、移動元基地局装置ＢＳ１Ａは、ステップＳ２０８の処理を実行する。
【００９４】
ステップＳ２０８において、移動元基地局装置ＢＳ１Ａは、移動先基地局装置ＢＳ２Ａおよび候補基地局装置ＢＳ３のそれぞれに第２種ハンドオーバー要求を送信する。
ステップＳ２１０において、移動元基地局装置ＢＳ１Ａは、第２種ハンドオーバー要求に対する第２種ハンドオーバー応答を、移動先基地局装置ＢＳ２Ａおよび候補基地局装置ＢＳ３のそれぞれから受信する。
ステップＳ２１２において、移動元基地局装置ＢＳ１Ａは、移動先基地局装置として決定した移動先基地局装置ＢＳ２Ａの第２種ハンドオーバー応答に含まれるリソース割り当て情報を含む第２種ハンドオーバー指示（ＣＨＯ指示）を端末装置ＵＥ１に送信する。
【００９５】
ステップＳ２１４において、移動元基地局装置ＢＳ１Ａは、移動先基地局装置ＢＳ２Ａから第２種ハンドオーバー（ＣＨＯ）完了報告を受信する。
ステップＳ２１６において、移動元基地局装置ＢＳ１Ａは、第２種ハンドオーバーキャンセル通知を候補基地局装置ＢＳ３に送信する。
ステップＳ２１８において、移動元基地局装置ＢＳ１Ａは、候補基地局装置ＢＳ３から第２種ハンドオーバーキャンセル応答を受信する。
ステップＳ２２０において、移動元基地局装置ＢＳ１Ａは、移動先基地局装置ＢＳ２ＡにＳＮ  Ｓｔａｔｕｓ  Ｔｒａｎｓｆｅｒを送信する。
そして、第２種ハンドオーバー処理を終了する。
【００９６】
ステップＳ２１２において、移動元基地局装置ＢＳ１Ａは、端末装置ＵＥ１に第２種ハンドオーバー指示を送信したのち、所定時間いずれの基地局装置からも第２種ハンドオーバー完了報告を受信しない場合には、第２種ハンドオーバー処理を終了（キャンセル）してもよい。
【００９７】
このように、第２種のハンドオーバーでは、移動元基地局装置ＢＳ１Ａがハンドオーバーすることを決定すると、移動先基地局装置ＢＳ２Ａを含む複数の候補基地局装置ＢＳが事前に無線リソースを確保する。そのため、第１種ハンドオーバーと第２種ハンドオーバーとを比較すると、第２種ハンドオーバーでは、ハンドオーバー処理に係る時間を短縮でき、ハンドオーバーの成功率を高めることができる。
【００９８】
次に、本実施形態に係る第２種ハンドオーバー処理の一例を示すシーケンスについて説明する。
【００９９】
図１２は、本発明の第２の実施形態に係る第２種ハンドオーバー処理の一例を示すシーケンス図である。
ステップＳＴ２００において、端末装置ＵＥ１は、移動元基地局装置ＢＳ１Ａと通信する。
ステップＳＴ２０２において、移動元基地局装置ＢＳ１Ａは、端末装置ＵＥ１に通信品質の測定を指示するＭｅａｓｕｒｅｍｅｎｔ  Ｃｏｎｔｒｏｌを送信する。
ステップＳＴ２０４において、端末装置ＵＥ１は、通信品質を測定し、測定結果と、ハンドオーバーに関する端末装置の情報を含むＭｅａｓｕｒｅｍｅｎｔ  Ｒｅｐｏｒｔを移動元基地局装置ＢＳ１Ａに送信する。
【０１００】
ステップＳＴ２０６において、移動元基地局装置ＢＳ１Ａは、Ｍｅａｓｕｒｅｍｅｎｔ  Ｒｅｐｏｒｔに含まれるハンドオーバーに関する端末装置の情報と、周辺セルの基地局装置ＢＳ（候補基地局装置ＢＳ）ごとの通信品質と、自装置と端末装置ＵＥ１との間の通信品質とに基づいて、端末装置ＵＥ１がハンドオーバーする候補基地局装置が存在するか否かを確認する。移動元基地局装置ＢＳ１Ａは、候補基地局装置が存在する場合、候補基地局装置を１つまたは複数選択し、端末装置ＵＥ１に第２種ハンドオーバーをさせるか否かを決定する。この例では、端末装置ＵＥ１がハンドオーバーする候補基地局装置は、移動先基地局装置ＢＳ２Ａと候補基地局装置ＢＳ３との２つの基地局装置である。
【０１０１】
ステップＳＴ２０８において、移動元基地局装置ＢＳ１Ａは、移動先基地局装置ＢＳ２Ａへの第２種ハンドオーバーを要求する第２種ハンドオーバー要求を生成する。移動元基地局装置ＢＳ１Ａは、生成した第２種ハンドオーバー要求を移動先基地局装置ＢＳ２Ａに送信する。
【０１０２】
ステップＳＴ２１０において、移動元基地局装置ＢＳ１Ａは、候補基地局装置ＢＳ３への第２種ハンドオーバーを要求する第２種ハンドオーバー要求を生成する。移動元基地局装置ＢＳ１Ａは、生成した第２種ハンドオーバー要求を候補基地局装置ＢＳ３に送信する。
【０１０３】
ステップＳＴ２１２において、移動先基地局装置ＢＳ２Ａは、第２種ハンドオーバー受け入れ処理を実行する。第２種ハンドオーバー受け入れ処理には、端末装置ＵＥ１への無線リソースの割り当て処理や、第２種ハンドオーバーに係るネゴシエーションなどが含まれる。
【０１０４】
ステップＳＴ２１４において、候補基地局装置ＢＳ３は、第２種ハンドオーバー受け入れ処理を実行する。第２種ハンドオーバー受け入れ処理には、端末装置ＵＥ１への無線リソースの割り当て処理や、第２種ハンドオーバーに係るネゴシエーションなどが含まれる。
【０１０５】
ステップＳＴ２１６において、移動先基地局装置ＢＳ２Ａは、第２種ハンドオーバー受け入れ処理が完了すると、第２種ハンドオーバー要求に対する応答としての第２種ハンドオーバー応答を移動元基地局装置ＢＳ１Ａに送信する。この第２種ハンドオーバー応答には、端末装置ＵＥ１のリソース割り当て情報が含まれる。
【０１０６】
ステップＳＴ２１８において、候補基地局装置ＢＳ３は、第２種ハンドオーバー受け入れ処理が完了すると、第２種ハンドオーバー要求に対する応答としての第２種ハンドオーバー応答を移動元基地局装置ＢＳ１Ａに送信する。この第２種ハンドオーバー応答には、端末装置ＵＥ１のリソース割り当て情報が含まれる。
【０１０７】
ステップＳＴ２２０において、移動元基地局装置ＢＳ１Ａは、端末装置ＵＥ１の移動先候補となる移動先基地局装置ＢＳ２Ａの情報と、端末装置ＵＥ１の移動先候補となる候補基地局装置ＢＳ３の情報とを含む第２種ハンドオーバー指示（指示情報）を生成する。移動元基地局装置ＢＳ１Ａは、生成した第２種ハンドオーバー指示を端末装置ＵＥ１に送信する。この第２種ハンドオーバー指示には、移動先基地局装置ＢＳ２Ａによる端末装置ＵＥ１のリソース割り当て情報および候補基地局装置ＢＳ３による端末装置ＵＥ１のリソース割り当て情報が含まれる。
【０１０８】
ステップＳＴ２２１において、端末装置ＵＥ１は、移動元基地局装置ＢＳ１Ａから第２種ハンドオーバー指示を受信すると、第２種ハンドオーバーに関する第２種ハンドオーバー決定処理を実行する。第２種ハンドオーバー決定処理には、候補基地局装置にハンドオーバーするか否かを決定する処理や、ハンドオーバーする場合には複数の候補基地局装置（例えば、移動先基地局装置ＢＳ２Ａ、候補基地局装置ＢＳ３）のうちのいずれの基地局装置にハンドオーバーするかを決定する処理が含まれる。より具体的には、端末装置ＵＥ１は、第２種ハンドオーバー指示を受信すると、所定基準を満たすか否かに応じてハンドオーバーするか否かを決定する。例えば、端末装置ＵＥ１は、移動元基地局装置ＢＳ１Ａと端末装置ＵＥ１との間の通信の通信品質（例えば受信品質）よりも候補基地局装置ＢＳ（移動先基地局装置ＢＳ２Ａ、候補基地局装置ＢＳ３）と端末装置ＵＥ１との間の通信のそれぞれの通信品質（例えば受信品質）のうちのいずれかの通信品質が良い場合、すなわち、ハンドオーバーをする前の通信品質よりもいずれかの候補基地局装置ＢＳへのハンドオーバー後の通信品質が改善される場合、所定基準を満たすと判定し、ハンドオーバーを実行すると決定する。
また、端末装置ＵＥ１は、複数の候補基地局装置のうちのいずれの基地局装置にハンドオーバーするかを決定する。具体的には、端末装置ＵＥ１は、複数の候補基地局装置のそれぞれのハンドオーバー後の通信品質が最も良い基地局装置を移動先基地局装置として決定する。図示する例では、端末装置ＵＥ１は、移動先基地局装置ＢＳ２Ａを移動先基地局装置として決定した場合の一例である。
【０１０９】
ステップＳＴ２２２において、端末装置ＵＥ１は、第２種ハンドオーバー指示（ＣＨＯ指示）に含まれるリソース割り当て情報で示される無線リソースを用いて移動先基地局装置ＢＳ２Ａに接続し、接続処理を行う。
ステップＳＴ２２４において、端末装置ＵＥ１は、移動先基地局装置ＢＳ２Ａとの接続処理が完了すると、第２種ハンドオーバー完了通知を移動先基地局装置ＢＳ２Ａに送信する。
【０１１０】
ステップＳＴ２２６において、移動先基地局装置ＢＳ２Ａは、端末装置ＵＥ１との接続処理が完了したことを表す第２種ハンドオーバー完了通知を移動元基地局装置ＢＳ１に送信する。
【０１１１】
ステップＳＴ２２８において、移動元基地局装置ＢＳ１Ａは、候補基地局装置ＢＳ３にＣＨＯキャンセル通知を送信する。
ステップＳＴ２３０において、移動元基地局装置ＢＳ１Ａは、候補基地局装置ＢＳ３からＣＨＯキャンセル応答を受信する。
【０１１２】
ステップＳＴ２３２において、移動元基地局装置ＢＳ１Ａは、端末装置ＵＥ１とのデータの送受信状況を表す情報として、ＳＮ  Ｓｔａｔｕｓ  Ｔｒａｎｓｆｅｒを移動先基地局装置ＢＳ２Ａに送信する。
ステップＳＴ２３４において、移動先基地局装置ＢＳ２Ａは、端末装置ＵＥ１と接続し、通信する。
【０１１３】
なお、ステップＳＴ２２１において、端末装置ＵＥ１は、ステップＳＴ２２０で第２種ハンドオーバー指示（ＣＨＯ指示）を受信してから所定時間経過した場合、第２種ハンドオーバー処理をキャンセルしてもよい。
【０１１４】
このように、第２の実施形態に係る端末装置ＵＥ１は、移動元基地局装置ＢＳ１Ａと通信する端末装置ＵＥ１であって、ハンドオーバーに関する測定結果と、ハンドオーバーに関する端末装置の情報と、を移動元基地局装置ＢＳ１Ａに送信する送信部１１２と、指示情報（第２種ハンドオーバー指示）を移動元基地局装置ＢＳ１Ａから受信する受信部１１１と、指示情報に基づいて、移動先基地局装置ＢＳ２Ａと接続する接続部１２３と、を備える。
また、ハンドオーバーに関する端末装置の情報は、ハンドオーバーするか否かを示す情報（例えば、第２種ハンドオーバーを実行するか否かを指示する情報）である。
【０１１５】
これにより、端末装置ＵＥ１は、ハンドオーバーする場合に不必要な無線リソースを確保することがないため、無線リソースを有効に活用することができる。また、端末装置ＵＥ１は、第２種ハンドオーバーを実行するか否かを自ら選択することができるため、無線通信システムにおいて、無線リソースを有効に活用することができる。
【０１１６】
（第３の実施形態）
次いで、第３の実施形態について説明する。第３の実施形態では、第１種ハンドオーバーおよび第２種ハンドオーバーを行う場合の一例について説明する。ここで、第３の実施形態では、第１の実施形態、第２の実施形態と異なる部分を中心に説明する。
【０１１７】
まず、端末装置ＵＥ１Ｂの機能構成について説明する。
【０１１８】
図１３は、第３の実施形態に係る端末装置ＵＥ１Ｂの機能構成の一例を示す概略ブロック図である。
端末装置ＵＥ１Ｂは、通信部１１と、制御部１２Ｂと、リソース情報記憶部１３と、を含んで構成される。
通信部１１は、受信部１１１と、送信部１１２と、を含んで構成される。制御部１２Ｂは、測定部１２０と、レポート生成部１２１と、接続部１２３と、情報生成部１２４と、リソース管理部１２５と、通知生成部１２６と、種別情報生成部１２７Ｂと、を含んで構成される。
ここで、第３の実施形態に係る端末装置ＵＥ１Ｂは、第１の実施形態に係る端末装置ＵＥ１と第２の実施形態に係る端末装置ＵＥ１の各機能を有するものとする。
【０１１９】
種別情報生成部１２７Ｂは、第１種ハンドオーバーを実行するか否かを示す情報（第１の情報）と第２種ハンドオーバーを実行する否かを示す情報（第２の情報）とのいずれかの情報を少なくとも含むハンドオーバーに関する端末装置の情報（他の基地局装置への接続切り替えに関する接続切替情報、他の基地局装置への接続切替の２以上の手段（第１種ハンドオーバー、第２種ハンドオーバー等）のうち、いずれの手段を用いるかを示す接続切替手段情報とも称する）として生成する。つまり、ハンドオーバーに関する端末装置の情報は、第１種ハンドオーバーの実行を指示する情報、第１種ハンドオーバーを実行しないことを指示する情報、第２種ハンドオーバーの実行を指示する情報、第２種ハンドオーバーを実行しないことを指示する情報の何れかの情報が含まれる。
種別情報生成部１２７Ｂは、生成したハンドオーバーに関する端末装置の情報を、レポート生成部１２１に出力する。
【０１２０】
次いで、移動元基地局装置ＢＳ１Ｂの機能構成について説明する。
【０１２１】
図１４は、第３の実施形態に係る移動元基地局装置ＢＳ１Ｂの機能構成の一例を示す概略ブロック図である。
移動元基地局装置ＢＳ１Ｂは、通信部３０と、制御部３１Ｂと、を含んで構成される。通信部３０は、受信部３０１と、送信部３０２と、を含んで構成される。制御部３１Ｂは、測定指示部３１０Ｂと、決定部３１１Ｂと、要求部３１２Ｂと、指示部３１３Ｂと、判定部３１５Ｂと、を含んで構成される。
ここで、第３の実施形態に係る移動元基地局装置ＢＳ１Ｂは、第１の実施形態に係る移動元基地局装置ＢＳ１と第２の実施形態に係る移動元基地局装置ＢＳ１Ａの各機能を有するものとする。
【０１２２】
判定部３１５Ｂは、端末装置ＵＥ１Ｂから受信したＭｅａｓｕｒｅｍｅｎｔ  Ｒｅｐｏｒｔに含まれるハンドオーバーに関する端末装置の情報がいずれのハンドオーバーの実行を指示する情報であるかを判定する。また、判定部３１５Ｂは、判定結果に基づいて、移動元基地局装置ＢＳ１Ｂが、第１の実施形態に係る移動元基地局装置ＢＳ１として機能するか第２の実施形態に係る移動元基地局装置ＢＳ１Ａとして機能するかを切り替える。
【０１２３】
次いで、移動先基地局装置ＢＳ２Ｂ及び候補基地局装置ＢＳの機能構成について説明する。
本実施形態に係る移動先基地局装置ＢＳ２Ｂ及び候補基地局装置ＢＳの機能構成は、第１の実施形態に係る移動先基地局装置ＢＳ２及び第２の実施形態に係る移動先基地局装置ＢＳ２Ａの各機能を有するものとする。移動先基地局装置ＢＳ２ＡＢは、移動元基地局装置ＢＳ１Ｂから受信するハンドオーバー要求が第１種ハンドオーバー要求であるか第２種ハンドオーバー要求であるかに応じて移動先基地局装置ＢＳ２及び移動先基地局装置ＢＳ２Ａのいずれとして機能するかを切り替えるものとする。
【０１２４】
次いで、移動元基地局装置ＢＳ１Ｂのハンドオーバー処理の一例を示すフローチャートについて説明する。
【０１２５】
図１５は、第３の実施形態に係る移動元基地局装置ＢＳ１Ｂのハンドオーバー処理の一例を示すフローチャートである。
ステップＳ４００において、移動元基地局装置ＢＳ１Ｂは、端末装置ＵＥ１にＭｅａｓｕｒｅｍｅｎｔ  Ｃｏｎｔｒｏｌを送信する。
ステップＳ４０１において、移動元基地局装置ＢＳ１Ｂは、Ｍｅａｓｕｒｅｍｅｎｔ  Ｃｏｎｔｒｏｌを受信した端末装置ＵＥ１ＢによるＭｅａｓｕｒｅｍｅｎｔ  Ｒｅｐｏｒｔを、端末装置ＵＥ１Ｂから受信する。
【０１２６】
ステップＳ４０２において、移動元基地局装置ＢＳ１Ｂは、第１種ハンドオーバーを実行するか否かを判定する。具体的には、移動元基地局装置ＢＳ１Ｂは、Ｍｅａｓｕｒｅｍｅｎｔ  Ｒｅｐｏｒｔに含まれるハンドオーバーに関する端末装置の情報を参照し、第１種ハンドオーバーを実行するか否かを指示する情報であるか否かに基づいて、第１種ハンドオーバーを実行するか否かを判定する。ハンドオーバーに関する端末装置の情報が第１種ハンドオーバーの実行を指示する情報である場合（ステップＳ４０２；ＹＥＳ）、移動元基地局装置ＢＳ１Ｂは、ステップＳ１０６の処理を実行する。一方、ハンドオーバーに関する端末装置の情報が第１種ハンドオーバーを実行しないことを指示する情報である場合や、第２種ハンドオーバーを実行するか否かを指示する情報である場合（ステップＳ４０２；ＮＯ）、移動元基地局装置ＢＳ１Ｂは、ステップＳ４０３の処理を実行する。
なお、ハンドオーバーに関する端末装置の情報（他の基地局装置への接続切り替えに関する接続切替情報）は、第１種ハンドオーバーを実行するか、第２種ハンドオーバーを実行するかを示す情報であってもよい。
【０１２７】
ステップＳ４０３において、移動元基地局装置ＢＳ１Ｂは、第２種ハンドオーバーを実行するか否かを判定する。具体的には、移動元基地局装置ＢＳ１Ｂは、Ｍｅａｓｕｒｅｍｅｎｔ  Ｒｅｐｏｒｔに含まれるハンドオーバーに関する端末装置の情報を参照し、第２種ハンドオーバー（ＣＨＯ）を実行するか否かを指示する情報であるか否かに基づいて、第２種ハンドオーバーを実行するか否かを判定する。ハンドオーバーに関する端末装置の情報が第２種ハンドオーバーの実行を指示する情報である場合（ステップＳ４０３；ＹＥＳ）、移動元基地局装置ＢＳ１Ｂは、ステップＳ２０６の処理を実行する。一方、ハンドオーバーに関する端末装置の情報が第２種ハンドオーバーを実行しないことを指示する情報である場合（ステップＳ４０３；ＮＯ）、移動元基地局装置ＢＳ１Ｂは、ハンドオーバー処理を終了する。
【０１２８】
ステップＳ１０６からステップＳ１１４の各処理は、第１の実施形態と同様であるため説明を省略する。
また、ステップＳ２０６からステップＳ２２０の各処理は、第２の実施形態と同様であるため説明を省略する。
【０１２９】
このように、第３の実施形態に係る端末装置ＵＥ１Ｂは、移動元基地局装置ＢＳ１Ｂと通信する端末装置ＵＥ１Ｂであって、ハンドオーバーに関する測定結果と、ハンドオーバーに関する端末装置の情報と、を移動元基地局装置ＢＳ１Ａに送信する送信部１１２と、指示情報を移動元基地局装置ＢＳ１Ｂから受信する受信部１１１と、指示情報に基づいて、移動先基地局装置ＢＳ２Ａと接続する接続部１２３と、を備える。
また、ハンドオーバーに関する端末装置の情報は、ハンドオーバーするか否かを示す情報（例えば、第１種ハンドオーバーを実行するか否かを示す情報、第２種ハンドオーバーを実行するか否かを指示する情報）である。
【０１３０】
これにより、端末装置ＵＥ１Ｂは、ハンドオーバーする場合に不必要な無線リソースを確保することがないため、無線リソースを有効に活用することができる。また、第２ハンドオーバーのみを行う場合と比べ、事前に確保する無線リソースを削減できるため、無線リソースを有効に活用することができる。また、複数の端末装置が一斉にハンドオーバーをする場合、確保する無線リソースが膨大な量となるが、いずれのハンドオーバーをするかを切り替えることができるため、一時的に膨大な量の無線リソースの確保を抑制することができ、無線リソースを有効に活用することができる。また、端末装置ＵＥ１Ｂは、いずれのハンドオーバーを実行するか否かを自ら選択することができるため、無線通信システムにおいて、無線リソースを有効に活用することができる。
【０１３１】
（第１の変形例）
第１の変形例では、第２の実施形態で説明した第２種ハンドオーバー処理の他の一例について説明する。
図１６は、本発明の変形例に係る第２種ハンドオーバー処理の一例を示すシーケンス図である。
ステップＳＴ３００において、端末装置ＵＥ１は、移動元基地局装置ＢＳ１Ａと通信する。
ステップＳＴ３０２において、移動元基地局装置ＢＳ１Ａは、端末装置ＵＥ１に通信品質の測定を指示するＭｅａｓｕｒｅｍｅｎｔ  Ｃｏｎｔｒｏｌを送信する。
ステップＳＴ３０４において、端末装置ＵＥ１は、通信品質を測定し、測定結果と、ハンドオーバーに関する端末装置の情報を含むＭｅａｓｕｒｅｍｅｎｔ  Ｒｅｐｏｒｔを移動元基地局装置ＢＳ１Ａに送信する。
【０１３２】
ステップＳＴ３０６において、移動元基地局装置ＢＳ１Ａは、Ｍｅａｓｕｒｅｍｅｎｔ  Ｒｅｐｏｒｔに含まれるハンドオーバーに関する端末装置の情報と、周辺セルの基地局装置ＢＳ（候補基地局装置ＢＳ）ごとの通信品質と、自装置と端末装置ＵＥ１との間の通信品質とに基づいて、端末装置ＵＥ１がハンドオーバーする候補基地局装置が存在するか否かを確認する。移動元基地局装置ＢＳ１Ａは、候補基地局装置が存在する場合、候補基地局装置を１つまたは複数選択し、端末装置ＵＥ１に第２種ハンドオーバーをさせるか否かを決定する。この例では、端末装置ＵＥ１がハンドオーバーする候補基地局装置は、移動先基地局装置ＢＳ２Ａと候補基地局装置ＢＳ３との２つの基地局装置である。
【０１３３】
ステップＳＴ３０８において、移動元基地局装置ＢＳ１Ａは、移動先基地局装置ＢＳ２Ａへの第２種ハンドオーバーを要求する第２種ハンドオーバー要求を生成する。移動元基地局装置ＢＳ１Ａは、生成した第２種ハンドオーバー要求を移動先基地局装置ＢＳ２Ａに送信する。
【０１３４】
ステップＳＴ３１０において、移動元基地局装置ＢＳ１Ａは、候補基地局装置ＢＳ３への第２種ハンドオーバーを要求する第２種ハンドオーバー要求を生成する。移動元基地局装置ＢＳ１Ａは、生成した第２種ハンドオーバー要求を候補基地局装置ＢＳ３に送信する。
【０１３５】
ステップＳＴ３１２において、移動先基地局装置ＢＳ２Ａは、第２種ハンドオーバーの受け入れ処理を実行する。第２種ハンドオーバー受け入れ処理には、端末装置ＵＥ１への無線リソースの割り当て処理や、第２種ハンドオーバーに係るネゴシエーションなどが含まれる。
【０１３６】
ステップＳＴ３１４において、候補基地局装置ＢＳ３は、第２種ハンドオーバーの受け入れ処理を実行する。第２種ハンドオーバー受け入れ処理には、端末装置ＵＥ１への無線リソースの割り当て処理や、第２種ハンドオーバーに係るネゴシエーションなどが含まれる。
【０１３７】
ステップＳＴ３１６において、移動先基地局装置ＢＳ２Ａは、第２種ハンドオーバー受け入れ処理が完了すると、第２種ハンドオーバー要求に対する応答としての第２種ハンドオーバー応答を移動元基地局装置ＢＳ１Ａに送信する。この第２種ハンドオーバー応答には、端末装置ＵＥ１のリソース割り当て情報が含まれる。
【０１３８】
ステップＳＴ３１８において、候補基地局装置ＢＳ３は、第２種ハンドオーバー受け入れ処理が完了すると、第２種ハンドオーバー要求に対する応答としての第２種ハンドオーバー応答を移動元基地局装置ＢＳ１Ａに送信する。この第２種ハンドオーバー応答には、端末装置ＵＥ１のリソース割り当て情報が含まれる。
【０１３９】
ステップＳＴ３２０において、移動元基地局装置ＢＳ１Ａは、端末装置ＵＥ１の移動先基地局装置ＢＳ２Ａへのハンドオーバーを指示する第２種ハンドオーバー指示（指示情報）を生成する。移動元基地局装置ＢＳ１Ａは、生成した第２種ハンドオーバー指示を端末装置ＵＥ１に送信する。この第２種ハンドオーバー指示には、移動先基地局装置ＢＳ２Ａによる端末装置ＵＥ１のリソース割り当て情報および候補基地局装置ＢＳ３による端末装置ＵＥ１のリソース割り当て情報が含まれる。
【０１４０】
ステップＳＴ３２１において、端末装置ＵＥ１は、移動元基地局装置ＢＳ１Ａから第２種ハンドオーバー指示を受信すると、第２種ハンドオーバーに関するＣＨＯ決定処理を実行する。ＣＨＯ決定処理には、候補基地局装置にハンドオーバーするか否かを決定する処理や、ハンドオーバーする場合には複数の候補基地局装置のうちのいずれの基地局装置にハンドオーバーするかを決定する処理が含まれる。より具体的には、端末装置ＵＥ１は、第２種ハンドオーバー指示を受信すると、所定基準を満たすか否かに応じてハンドオーバーするか否かを決定する。例えば、端末装置ＵＥ１は、移動元基地局装置ＢＳ１Ａと端末装置ＵＥ１との間の通信の通信品質（例えば受信品質）よりも候補基地局装置ＢＳ（移動先基地局装置ＢＳ２Ａ、候補基地局装置ＢＳ３）と端末装置ＵＥ１との間の通信の通信品質（例えば受信品質）が良い場合、すなわち、ハンドオーバーをする前の通信品質よりもハンドオーバー後の通信品質が改善される場合、所定基準を満たすと判定し、ハンドオーバーを実行すると決定する。
また、端末装置ＵＥ１は、複数の候補基地局装置のうちのいずれの基地局装置にハンドオーバーするかを決定する。具体的には、端末装置ＵＥ１は、複数の候補基地局装置のそれぞれのハンドオーバー後の通信品質が最も良い基地局装置を移動先基地局装置として決定する。図示する例では、端末装置ＵＥ１は、移動先基地局装置ＢＳ２Ａを移動先基地局装置として決定した場合の一例である。
【０１４１】
ステップＳ３２２において、端末装置ＵＥ１は、第２種ハンドオーバー指示を受信したことを示す第２種ハンドオーバー  Ａｃｋ（ＣＨＯ  Ａｃｋ）を移動元基地局装置ＢＳ１に送信する。
【０１４２】
ステップＳＴ３２４において、移動元基地局装置ＢＳ１Ａは、端末装置ＵＥ１とのデータの送受信状況を表す情報として、ＳＮ  Ｓｔａｔｕｓ  Ｔｒａｎｓｆｅｒを移動先基地局装置ＢＳ２Ａに送信する。
【０１４３】
ステップＳＴ３２６において、移動元基地局装置ＢＳ１Ａは、候補基地局装置ＢＳ３に第２種ハンドオーバーキャンセル通知を送信する。
ステップＳＴ３２８において、移動元基地局装置ＢＳ１Ａは、候補基地局装置ＢＳ３から第２種ハンドオーバーキャンセル応答を受信する。
【０１４４】
ステップＳＴ３３０において、端末装置ＵＥ１は、リソース割り当て情報で示される無線リソースを用いて移動先基地局装置ＢＳ２Ａに接続し、接続処理を行う。
ステップＳＴ３３２において、端末装置ＵＥ１は、移動先基地局装置ＢＳ２Ａとの接続処理が完了すると、第２種ハンドオーバー完了通知を移動先基地局装置ＢＳ２Ａに送信する。
【０１４５】
ステップＳＴ３３４において、移動先基地局装置ＢＳ２Ａは、端末装置ＵＥ１との接続処理が完了したことを表す第２種ハンドオーバー完了通知を移動元基地局装置ＢＳ１に送信する。
ステップＳＴ３３６において、移動先基地局装置ＢＳ２Ａは、端末装置ＵＥ１と接続し、通信する。
【０１４６】
なお、ステップＳＴ３２１において、端末装置ＵＥ１は、ステップＳＴ３２０で第２種ハンドオーバー指示（ＣＨＯ指示）を受信してから所定時間経過した場合、第２種ハンドオーバー処理をキャンセルしてもよい。
【０１４７】
このようにすることで、第２の実施形態と同様の効果を得ることができる。
【０１４８】
（第２の変形例）
なお、上述した各実施形態では、第１種ハンドオーバーを実行しない場合や、第２種ハンドオーバーを実行しない場合や、第１種ハンドオーバーも第２種ハンドオーバーも実行しない場合が存在したが、これらを実行しないときには、再接続処理を実行してもよい。
【０１４９】
図１７は、本発明の変形例に係る再接続処理の一例を示すシーケンス図である。
ステップＳＴ４００において、端末装置ＵＥ１は、移動元基地局装置ＢＳ１と通信する。
ステップＳＴ４０２において、移動元基地局装置ＢＳ１は、端末装置ＵＥ１に通信品質の測定を指示するＭｅａｓｕｒｅｍｅｎｔ  Ｃｏｎｔｒｏｌを送信する。
ステップＳＴ４０４において、端末装置は通信品質を測定し、測定結果と、ハンドオーバーに関する端末装置の情報を含むＭｅａｓｕｒｅｍｅｎｔ  Ｒｅｐｏｒｔを移動元基地局装置ＢＳ１に送信する。
【０１５０】
ステップＳＴ４０６において、移動元基地局装置ＢＳ１は、Ｍｅａｓｕｒｅｍｅｎｔ  Ｒｅｐｏｒｔに含まれるハンドオーバーに関する端末装置の情報と、周辺セルの基地局装置ＢＳ（候補基地局装置ＢＳ）ごとの通信品質と、自装置と端末装置ＵＥ１との間の通信品質とに基づいて、端末装置ＵＥ１に再接続をさせるか否かを決定する。ハンドオーバーに関する端末装置の情報は、例えば、再接続を実行するか否かを示す情報であってもよい。
【０１５１】
ステップＳＴ４０８において、移動元基地局装置ＢＳ１は、端末装置ＵＥ１に移動先基地局装置ＢＳ２への再接続を指示する再接続指示（指示情報）を生成する。移動元基地局装置ＢＳ１は、生成した再接続指示を端末装置ＵＥ１に送信する。
【０１５２】
ステップＳＴ４１０において、端末装置ＵＥ１は、移動元基地局装置ＢＳ１との通信の切断処理を実行する。
【０１５３】
ステップＳＴ４１２において、端末装置ＵＥ１は、移動元基地局装置ＢＳ１との切断処理が完了すると、リソース情報記憶部１３が記憶するリソース割り当て情報を確認する。端末装置ＵＥ１は、再接続先の基地局装置となる移動先基地局装置ＢＳ２の無線リソースを用いて移動先基地局装置ＢＳ２に接続し、移動先基地局装置ＢＳ２との同期処理を開始する。
【０１５４】
ステップＳＴ４１４において、端末装置ＵＥ１は、同期処理が完了すると、移動先基地局装置ＢＳ２との通信を開始（継続）する。
【０１５５】
このように、過去に接続したことがある移動先基地局装置ＢＳ２に再接続することで、ハンドオーバーに係る無線リソースのリザーブを省略することができ、無線リソースを有効に活用することができる。また、例えば、複数の端末装置が一斉にハンドオーバーする場合などで移動元基地局装置ＢＳ１または移動先基地局装置ＢＳ２が処理しきれない場合等であっても、端末装置ＵＥ１に再接続を指示することができる。
【０１５６】
（第３の変形例）
第２の変形例では、再接続処理の一例について説明したが、第３の変形例で説明する再接続処理を実行してもよい。
【０１５７】
図１８は、本発明の変形例に係る再接続処理の他の一例を示すシーケンス図である。
ステップＳＴ５００において、端末装置ＵＥ１は、移動元基地局装置ＢＳ１と通信する。
ステップＳＴ５０２において、移動元基地局装置ＢＳ１は、端末装置ＵＥ１に通信品質の測定を指示するＭｅａｓｕｒｅｍｅｎｔ  Ｃｏｎｔｒｏｌを送信する。
ステップＳＴ５０４において、端末装置は通信品質を測定し、測定結果と、ハンドオーバーに関する端末装置の情報を含むＭｅａｓｕｒｅｍｅｎｔ  Ｒｅｐｏｒｔを移動元基地局装置ＢＳ１に送信する。
【０１５８】
ステップＳＴ５０６において、端末装置ＵＥ１は、Ｍｅａｓｕｒｅｍｅｎｔ  Ｒｅｐｏｒｔを移動元基地局装置ＢＳ１に送信するときに切断タイマの計時をスタートさせる。切断タイマは、端末装置ＵＥ１が備えていればよい。
【０１５９】
ステップＳＴ５０８において、移動元基地局装置ＢＳ１は、Ｍｅａｓｕｒｅｍｅｎｔ  Ｒｅｐｏｒｔに含まれるハンドオーバーに関する端末装置の情報と、周辺セルの基地局装置ＢＳ（候補基地局装置ＢＳ）ごとの通信品質と、自装置と端末装置ＵＥ１との間の通信品質とに基づいて、端末装置ＵＥ１に再接続をさせるか否かを決定する。ハンドオーバーに関する端末装置の情報は、例えば、再接続を実行するか否かを示す情報であってもよい。
【０１６０】
ステップＳＴ５１０において、移動元基地局装置ＢＳ１は、端末装置ＵＥ１に移動先基地局装置ＢＳ２への再接続を指示する再接続指示（指示情報）を生成する。移動元基地局装置ＢＳ１は、生成した再接続指示を端末装置ＵＥ１に送信する。
【０１６１】
ステップＳＴ５１２において、端末装置ＵＥ１は、切断タイマが満了すると、移動元基地局装置ＢＳ１との通信の切断処理を実行する。
【０１６２】
ステップＳＴ５１４において、端末装置ＵＥ１は、移動元基地局装置ＢＳ１との切断処理が完了すると、リソース情報記憶部１３が記憶するリソース割り当て情報を確認する。端末装置ＵＥ１は、再接続先の基地局装置となる移動先基地局装置ＢＳ２の無線リソースを用いて移動先基地局装置ＢＳ２に接続し、移動先基地局装置ＢＳ２との同期処理を開始する。
【０１６３】
ステップＳＴ５１６において、端末装置ＵＥ１は、同期処理が完了すると、移動先基地局装置ＢＳ２との通信を開始（継続）する。
【０１６４】
このように、過去に接続したことがある移動先基地局装置ＢＳ２に再接続することで、ハンドオーバーに係る無線リソースのリザーブを省略することができ、無線リソースを有効に活用することができる。また、例えば、複数の端末装置が一斉にハンドオーバーする場合などで移動元基地局装置ＢＳ１または移動先基地局装置ＢＳ２が処理しきれない場合等であっても、端末装置ＵＥ１に再接続を指示することができる。また、切断タイマの満了によって移動元基地局装置ＢＳ１との切断処理を開始するため、端末装置ＵＥ１と移動元基地局装置ＢＳ１との間の各種通信処理を削減することができ、無線リソースを有効に活用することができる。
【０１６５】
（第４の変形例）
なお、上記各実施形態、各変形例では、ハンドオーバーに関する端末装置の情報として、第１種ハンドオーバーを実行するか否かを指示する情報、第２種ハンドオーバーを実行するか否かを指示する情報、再接続を実行するか否かの情報の何れかを用いる場合の一例について説明したが、これらの情報の何れかをハンドオーバーに関する端末装置の情報として用いてもよいし、第１種ハンドオーバーを実行するか否かを指示する情報、第２種ハンドオーバーを実行するか否かを指示する情報をハンドオーバーに関する端末装置の情報として用い、いずれのハンドオーバーを実行しないときに再接続処理を実行してもよい。
【０１６６】
（第５の変形例）
なお、上記各実施形態や各変形例では、ハンドオーバーに関する端末装置の情報が第１種ハンドオーバーを実行するか否かを指示する情報、第２種ハンドオーバーを実行するか否かを指示する情報、再接続を実行するか否かの情報などである場合の一例について説明したが、ハンドオーバーに関する端末装置の情報は、端末装置の通信状況や使用状況など、端末装置の状況を示す情報であってもよい。この場合。移動元基地局装置ＢＳ１は、端末装置の状況に応じて、第１種ハンドオーバーを実行するか否か、第２種ハンドオーバーを実行するか否か、再接続を実行するか否かを決定すればよい。この場合、移動元基地局装置ＢＳ１は、例えば、端末装置の状況に応じたフラグと、ネットワークの混雑状況に応じたハンドオーバー種別決定テーブルを参照してもよい。図１９を用いて説明する。
【０１６７】
図１９は、本発明の変形例に係るハンドオーバー種別決定テーブルの一例を示すテーブルである。
ハンドオーバー種別決定テーブルは、端末装置の状況と、フラグ（報告値）と、ネットワークの混雑状況とが対応付けられたテーブルである。
端末装置の状況は、例えば、自動運転、動画ストリーミング、音声通話、ウェブブラウジング、ＩｏＴ端末など、端末装置ＵＥ１におけるアプリケーションの使用状況を表す。
フラグ（報告値）は、それぞれの端末装置の状況に応じた値であり、ハンドオーバーに関する端末装置の情報として、Ｍｅａｓｕｒｅｍｅｎｔ  Ｒｅｐｏｒｔに含まれる値である。
ネットワークの混雑状況は、例えば「低」「中」「高」の段階別に、第１種ハンドオーバーを表す「第１種ハンドオーバー」、第２種ハンドオーバーを表す「第２種ハンドオーバー」、再接続を表す「再接続」が対応付けられている。例えば「低」は未割当リソースが５０％以上、「中」は未割当リソースが２０％以上５０％未満、「高」は、未割当リソースが２０％未満である。
このテーブルは、例えば、移動元基地局装置ＢＳ１が記憶していればよい。
【０１６８】
例えば、端末装置ＵＥ１が自動運転に用いられる端末装置ＵＥ１である場合、ハンドオーバーに係る時間が短く、また、成功率が「第１種ハンドオーバー」よりも高い「第２種ハンドオーバー」が、ネットワークの混雑状況によらずハンドオーバー種別として決定される。つまり、端末装置ＵＥ１が、ハンドオーバーに関する端末装置の情報として、端末装置の状況「自動運転」に対応するフラグ値「１」を送信すると、移動元基地局装置ＢＳ１は、第２種ハンドオーバーを実行することを指示する情報として第２種ハンドオーバー処理を実行すればよい。
【０１６９】
また、例えば、端末装置ＵＥ１が動画ストリーミングに用いられる端末装置ＵＥ１である場合、ネットワークの混雑状況が「高」でないときには、「第２種ハンドオーバー」がハンドオーバー種別として決定され、それ以外では「第１種ハンドオーバー」がハンドオーバー種別として決定される。つまり、端末装置ＵＥ１が、ハンドオーバーに関する端末装置の情報として、端末装置の状況「動画ストリーミング」に対応するフラグ値「２」を送信すると、移動元基地局装置ＢＳ１は、ネットワークの混雑状況を確認し、混雑状況に応じていずれのハンドオーバー主熱を実行するかを最終決定すればよい。つまり、端末装置ＵＥ１がハンドオーバーに関する端末装置の情報としてフラグの値を送信することで、いずれのハンドオーバー種別を実行するかを移動元基地局装置ＢＳ１に指示し、移動元基地局装置ＢＳ１が端末装置ＵＥ１の指示に従うか否かをネットワークの混雑状況に応じて決定すればよい。
音声通話、ウェブブラウジング、ＩｏＴ端末については、図示する通りであり、説明を省略する。
【０１７０】
このように、端末装置のアプリケーションの使用状況や、端末装置がどのように使用されているかなど、通信の優先度などに応じてハンドオーバー種別を切り替えることができる。このため、たとえば、すべての端末装置が第２種ハンドオーバーを行う場合と比較しても、事前に確保する無線リソースを削減することができ、無線リソースを有効に活用することができる。
【０１７１】
（第６の変形例）
なお、ハンドオーバーに関する端末装置の情報は、第１種ハンドオーバーを実行するか否かを指示する情報、第２種ハンドオーバーを実行するか否かを指示する情報、再接続を実行するか否かの情報、端末装置の状況の何れか１つまたは複数を用いてもよい。
なお、端末装置の状況は、スループット、トラフィック量、呼種、パケット数、データ量、通信の優先度、通信の緊急度などの各種パラメータに応じて設定されてもよい。
なお、ハンドオーバーに関する端末装置の情報は、いずれのハンドオーバーや再接続
を実行しないかを指示する情報であってもよい。
なお、移動元基地局装置ＢＳ１は、ハンドオーバーに関する端末装置の情報を受信した場合であっても、自装置の混雑状況などに応じてハンドオーバーに関する端末装置の情報で支持されるハンドオーバー処理や再接続処理とは異なるハンドオーバー処理を端末装置にさせてもよい。
なお、ハンドオーバーに関する端末装置の情報をＭｅａｓｕｒｅｍｅｎｔ  Ｒｅｐｏｒｔに含める場合の一例について説明したが、Ｍｅａｓｕｒｅｍｅｎｔ  Ｒｅｐｏｒｔの代わりにＣａｐａｂｉｌｉｔｙ  Ｍｅｓｓａｇｅに含めてもよい。Ｃａｐａｂｉｌｉｔｙ  Ｍｅｓｓａｇｅは、各ハンドオーバー処理や再接続処理を開始するよりも前、例えばアタッチ処理で送信されてもよい。
【０１７２】
なお、上述した各実施形態や各変形例の１つまたは複数、上述した各実施形態や各変形例の一部または全部を組み合わせて本発明の一態様を実現するようにしてもよい。
【０１７３】
なお、本発明の一態様における端末装置ＵＥ１、ＵＥ１Ａ、ＵＥ１Ｂ、基地局装置ＢＳで動作するプログラムは、本発明の一態様に関わる上記の各実施形態や変形例で示した機能を実現するように、１つ、または複数の、ＣＰＵ（Ｃｅｎｔｒａｌ  Ｐｒｏｃｅｓｓｉｎｇ  Ｕｎｉｔ）等のプロセッサを制御するプログラム（コンピュータを機能させるプログラム）であっても良い。そして、これらの各装置で取り扱われる情報は、その処理時に一時的にＲＡＭ（Ｒａｎｄｏｍ  Ａｃｃｅｓｓ  Ｍｅｍｏｒｙ）に蓄積され、その後、フラッシュメモリやＨＤＤ（Ｈａｒｄ  Ｄｉｓｋ  Ｄｒｉｖｅ）等の各種ストレージに格納され、必要に応じてＣＰＵ等によって読み出し、修正・書き込みが行われても良い。
【０１７４】
なお、上述した各実施形態や変形例における端末装置ＵＥ１、ＵＥ１Ａ、ＵＥ１Ｂ、基地局装置ＢＳの一部又は全部を１つ、または複数のプロセッサを備えたコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７５】
なお、ここでいう「コンピュータシステム」とは、端末装置ＵＥ１、ＵＥ１Ａ、ＵＥ１Ｂ、基地局装置ＢＳに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７６】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７７】
また、上述した各実施形態や変形例における端末装置ＵＥ１、ＵＥ１Ａ、ＵＥ１Ｂ、基地局装置ＢＳの一部、又は全部を典型的には集積回路であるＬＳＩとして実現してもよいし、チップセットとして実現してもよい。また、上述した各実施形態や変形例における端末装置ＵＥ１、ＵＥ１Ａ、ＵＥ１Ｂ、基地局装置ＢＳの各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【０１７８】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【符号の説明】
【０１７９】
ＵＥ１、ＵＥ２  端末装置、ＢＳ１、ＢＳ１Ａ、ＢＳ１Ｂ  移動元基地局装置、ＢＳ２、ＢＳ２Ａ、ＢＳ２Ｂ  移動先基地局装置、ＢＳ３  候補基地局装置、１１  通信部、１１１  受信部、１１２  送信部、１２、１２Ｂ  制御部、  １２０  測定部、１２１  レポート生成部、１２３  接続部、１２４  情報生成部、１２５  リソース管理部、１２６  通知生成部、１２７Ｂ  種別情報生成部、１３  リソース情報記憶部、１０１  ＣＰＵ、１０２  記憶媒体インタフェース部、１０３  記憶媒体、１０４  入力部、１０５  出力部、１０６  ＲＯＭ、１０７  ＲＡＭ  １０８  補助記憶部、１０９  ネットワークインタフェース部、３０  通信部、３０１  受信部、３０２  送信部、３１、３１Ａ  制御部、３１０、３１０Ａ、３１０Ｂ  測定指示部、３１１、３１１Ａ、３１１Ｂ  決定部、３１２、３１２Ａ、３１２Ｂ  要求部、３１３、３１３Ａ、３１３Ｂ  指示部、３１４Ａ  キャンセル処理部、３１５Ｂ  判定部、４０  通信部、４０１  受信部、４０２  送信部、４１、４１Ａ  制御部、４１１、４１１Ａ  要求受け入れ部、４１２、４１２Ａ  同期処理部、４１３、４１３Ａ  リソース割り当て部、４１４、４１４Ａ  接続部、４１５Ａ  リソース開放部、４２  端末情報記憶部、２０１  ＣＰＵ、２０２  記憶媒体インタフェース部、２０３  記憶媒体、２０４  入力部、２０５  出力部、２０６  ＲＯＭ、２０７  ＲＡＭ  ２０８  補助記憶部、２０９  ネットワークインタフェース部
【図１】
2019193166.tif 000003
【図２】
2019193166.tif 000004
【図３】
2019193166.tif 000005
【図４】
2019193166.tif 000006
【図５】
2019193166.tif 000007
【図６】
2019193166.tif 000008
【図７】
2019193166.tif 000009
【図８】
2019193166.tif 000010
【図９】
2019193166.tif 000011
【図１０】
2019193166.tif 000012
【図１１】
2019193166.tif 000013
【図１２】
2019193166.tif 000014
【図１３】
2019193166.tif 000015
【図１４】
2019193166.tif 000016
【図１５】
2019193166.tif 000017
【図１６】
2019193166.tif 000018
【図１７】
2019193166.tif 000019
【図１８】
2019193166.tif 000020
【図１９】
2019193166.tif 000021